(57)【特許請求の範囲】
【請求項１】
コンピュータデバイスに取り外し可能に結合することができる照明装置であって、
前部及び前記前部に対向する背部を有し、前記前部の受け入れエリアに前記コンピュータデバイスを受け入れるようなサイズとなっているケースと、
前記ケースの前記前部に配置されている第１の複数の光源及び前記ケースの前記背部に配置されている第２の複数の光源であって、前記第１の複数の光源の一つ以上の光源は、第１のライトカバーによってカバーされ、前記第１のライトカバー及び前記第１の複数の光源の一つ以上の光源は、前記ケースの第１の側部領域に沿って延在する第１のライトレールの形を共同でとり、第２のライトカバーは、前記第２の複数の光源の一つ以上の光源をカバーし、前記第２のライトカバー及び前記第２の複数の光源の一つ以上の光源は、前記ケースの第２の側部領域に沿って延在する第２のライトレールの形を共同でとり、前記第１のライトカバーと前記第２のライトカバーの一方又は両方は、光源の一つ以上によって生じた光の外観を変え、光源の各々が照明されるときに前記第１のライトレールの側部及び前記第２のライトレールの側部から光が出射されるように前記第１のライトカバー及び前記第２のライトカバーが構成された、前記ケースの前記前部に配置されている第１の複数の光源及び前記ケースの前記背部に配置されている第２の複数の光源と、
光源の一つ以上の点灯状態と強度の少なくとも一方を変えるように構成されている光制御機構であって、前記ケースの前記前部の光源の一つ及び前記ケースの前記背部の光源の一つは、前記光制御機構によって独立して制御される光制御機構と、
光源の一つ以上に操作的に結合されている電源と、
を備える照明装置。
【請求項２】
前記コンピュータデバイスは、画像取得機構を含み、光源の一つ以上は、前記画像取得機構の撮影領域の方向に光を出射するように構成されている請求項１に記載の照明装置。
【請求項３】
前記ケースの前記前部の光源の一つは、前記ケースの前記背部の光源の一つに整列されている請求項１に記載の照明装置。
【請求項４】
前記ケースの前記前部の光源の一つは、前記ケースの前記背部の光源の一つに整列されていない請求項１に記載の照明装置。
【請求項５】
光源の一つは、前記ケースの前記前部と前記ケースの前記背部のいずれかに垂直な方向に光を出射する請求項１に記載の照明装置。
【請求項６】
光源の一つは、前記ケースの前記前部と前記ケースの前記背部のいずれかに垂直な方向から離れる方向に光を出射する請求項１に記載の照明装置。
【請求項７】
前記ケースは、前記コンピュータデバイスの外部メモリに整列するように構成されている外部メモリスロットを含む請求項１に記載の照明装置。
【請求項８】
周辺光センサを更に備え、前記周辺光センサは、前記周辺光センサによって受光した周辺光の量に基づいて光源の一つ以上の強度を自動的に調整する請求項１に記載の照明装置。
【請求項９】
前記ケースの前記受け入れエリアに前記コンピュータデバイスを保持する少なくとも一つの固定機構を更に備える請求項１に記載の照明装置。
【請求項１０】
前記ケースは、前記ケースの前記受け入れエリアに前記コンピュータデバイスを保持する少なくとも部分的に分離可能な少なくとも二つのセクションを含む請求項１に記載の照明装置。
【請求項１１】
前記少なくとも二つのセクションは、取り外し可能な結合、回転自在な結合及びスライド可能な結合の少なくとも一つとなるように構成されている請求項１０に記載の照明装置。
【請求項１２】
コンピュータデバイスに取り外し可能に結合することができる照明装置であって、
受け入れエリアに前記コンピュータデバイスを受け入れるように構成されているケースであって、前部及び背部並びに第１の側部領域及び第２の側部領域を有するケースと、
前記ケースの前記前部に配置されるとともに第１の細長いライトカバーによってカバーされた第１の複数の光源であって、前記第１の細長いライトカバー及び前記第１の複数の光源は、前記ケースの前記第１の側部領域に沿って延在する第１の細長いライトレールの形を共同でとり、前記第１の細長いライトカバーは、前記第１の複数の光源によって生じた光の外観を変える第１の複数の光源、並びに、前記ケースの前記前部に配置されるとともに第２の細長いライトカバーによってカバーされた第２の複数の光源であって、前記第２の細長いライトカバー及び前記第２の複数の光源は、前記ケースの前記第２の側部領域に沿って延在する第２の細長いライトレールの形を共同でとり、前記第２の細長いライトカバーは、前記第２の複数の光源によって生じた光の外観を変える第２の複数の光源と、
光源の一つ以上の点灯状態と強度の少なくとも一方を変えるように構成されている光制御機構と、
前記少なくとも一つの光源に操作的に結合されている電源と、
前記コンピュータデバイスが前記ケースに受け入れられているときに前記電源及び前記コンピュータデバイスの内部電源の充電を制御するように構成されている充電制御機構と、
を備える照明装置。
【請求項１３】
前記ケースは、前記電源及び前記内部電源を充電できる充電ポートを含む請求項１２に記載の照明装置。
【請求項１４】
前記電源及び前記コンピュータデバイスの内部電源のエネルギー状態を測定するように構成されている充電センサを更に備え、
前記充電センサは、各々の測定されたエネルギー状態に基づいて前記電源及び前記内部電源の充電を制御する請求項１３に記載の照明装置。
【請求項１５】
前記充電ポートは、ユニバーサルシリアルバス（ＵＳＢ）とインダクティブ充電器の少なくとも一つを含む請求項１３に記載の照明装置。
【請求項１６】
前記ケースは、前記電源によって外部ポートに充電させることができる放電ポートを含む請求項１２に記載の照明装置。
【請求項１７】
前記ケースは、統合された充電及び放電ポートを含む請求項１２に記載の照明装置。
【請求項１８】
前記ケースは、前記コンピュータデバイスの外部メモリインタフェースに整列するように構成されている外部メモリスロットを含む請求項１２に記載の照明装置。
【請求項１９】
前記充電制御機構によって、前記電源を通じた前記コンピュータデバイスの前記内部電源の充電が可能になる請求項１２に記載の照明装置。
【請求項２０】
前記電源の充電状態を表すように構成されている充電インディケータを更に備える請求項１２に記載の照明装置。
【請求項２１】
前記ケースの前記背部に配置された複数の光源を更に備え、前記ケースの前記背部に配置された複数の光源は、前記ケースの長さの大部分に沿って長手方向にそれぞれ配置された第１の群の光源及び第２の群の光源を備え、前記第１の群の光源及び前記第２の群の光源は、互いに離間し、光源を前記ケースの前記前部及び／又は前記ケースの前記背部のボタン領域に含めない請求項１２に記載の照明装置。
【請求項２２】
前記電源は、充電式バッテリを含む請求項１２に記載の照明装置。
【請求項２３】
光源の一つ以上は、複数の光源であり、前記複数の光源の各々は、少なくとも第１の色及び／又は第２の色を生じるように構成されている請求項１２に記載の照明装置。
【請求項２４】
光源の一つ以上は、前記コンピュータデバイスの動作状態に基づいて発光応答を生成し、前記発光応答は、点滅、ストロボ、色変化、少なくとも一つのパターンの作成又はその組合せを含む請求項１２に記載の照明装置。
【請求項２５】
孔を更に備え、前記孔は、前記コンピュータデバイスの画像取得機構に略整列している請求項１２に記載の照明装置。
【請求項２６】
前記ケースによって、前記コンピュータデバイスを前記ケースによって保持する間に前記コンピュータデバイスの容量調整を可能にする請求項１２に記載の照明装置。
【請求項２７】
前記コンピュータデバイスは、スマートフォンを含む請求項１２に記載の照明装置。
【発明の詳細な説明】
【技術分野】
【０００１】
本発明は、照明装置に関し、更に詳しくは、ビデオ通話、テレビ会議、他のカメラに関連した処理及び最適化された照明を要求するコンピュータデバイスによって実行される他のアプリケーションを容易にするためにコンピュータデバイス、特に、スマートフォンのようなハンドヘルドコンピュータデバイスに取り付けられる照明装置に関する。
【背景技術】
【０００２】
コンピュータデバイス、特に、ハンドヘルドコンピュータデバイスは、過去２０年の間に急速に発達した。ここで、コンピュータデバイスとして、デスクトップコンピュータ、ラップトップコンピュータ及びハンドヘルドコンピュータデバイスを引き合いに出すが、それに限定されず、ハンドヘルドコンピュータデバイスは、例えば、ｉＰｈｏｎｅ（登録商標）又はＡｎｄｒｏｉｄ（登録商標）のようなスマートフォン、ｉＰａｄ（登録商標）のような演算タブレット、携帯情報端末（ＰＤＡ）、及び、比較的小型かつ軽量であるとともに基本的な演算能力及びインターネット接続能力を備えている他の装置であるが、それに限定されない。コンピュータデバイスは、人々の仕事、娯楽及び通信において益々重要な役割を果たしている。
【０００３】
最近のコンピュータデバイスのほとんどはカメラを備えている。多くの場合、特に、ハンドヘルドコンピュータデバイスに対して、二つのカメラが存在し、その一方は、一般的な表示スクリーンと同一側であるデバイスの前面に存在し、他方は背面に存在する。コンピュータデバイスの一つのかなり広がった使用は、ある場合にはビデオ通話又はビデオ会議であり、その間、ビデオ画像と音声信号の両方が送受信される。大概のビデオ画像は前面のカメラによって取得され、これによって、デバイスのユーザは、デバイスのディスプレイを見るのと同時に可視状態となることができる。ビデオ通話によって、呼出し側は、他の人の話を聞くことと他の人を見ることを同時に行うことができる。ハンドヘルドコンピュータデバイスの携帯機能を組み合わせることによって、ビデオ通話は、当事者間の通信及び交流を著しく容易にする。
【０００４】
しかしながら、コンピュータデバイスで行われるビデオ通話の一つの欠点は、予測不可能であるとともにしばしば理想からかけ離れている照明であり、これによって、ビデオ通話は、魅力的でなくなり、継続するのが不可能にさえなる。この問題は、ハンドヘルドコンピュータデバイスに対して特に深刻である。ハンドヘルドコンピュータデバイスの携帯性により、ハンドヘルドコンピュータデバイスによって行われるビデオ通話が、これまで思いつかなかった一部の場所で行われることがある。良好に照明された会議室の代わりに、ハンドヘルドコンピュータデバイスのユーザは、いつの間にか車内、暗い部屋、又は、弱い若しくは調整することができない光のある一部の場所にいることがあり、これによって、ユーザの画像を適切に示すことができない。本発明は、この問題を、コンピュータデバイスに取り付けることができるとともにユーザがユーザのビデオ通話又はビデオ会議において管理できる光を有することができる照明装置を提供することによって対処する。さらに、本発明によって導入される照明装置は、著しい便宜を提供するとともにコンピュータデバイスのユーザエクスペリエンスを大幅に向上させる複数の追加のアプリケーションを有してもよい。
【０００５】
関連技術のレビュー
米国特許第７，８４１，７２９号は、ウェブカメラの前の一人以上のユーザ及び出射光のバルブを有する通信端末と、出射光を投影するためのバルブに操作的に関連したリフレクタと、端末と接続するためにバルブと端末との間に配置されたアームと、を照明する照明装置に関する。バルブを、ウェブカメラを通じてユーザの最適な表示を提供するためにカメラに対して配置することができる。照明装置は、ウェブカメラの前の一人以上のユーザと、フレーム、スクリーン及び複数のバルブを有する通信端末と、を照明し、複数のバルブは、ユーザの顔を照明するために端末のフレームに配置されている。
【０００６】
米国特許第７，６３１，９７９号は、世界規模の通信ネットワーク上での送信のために対象の画像を取得するウェブカメラに適合したデジタルコンピュータデバイスを含むコンピュータウェブカメラとともに使用される万能型(universal)照明装置に関する。ベースクランプ機構がコンピュータデバイスに取り付けられている。ライトアレイが、ウェブカメラの前に位置する対象を照明するためにベースクランプ機構に調整可能に接続されている。拡散レンズが、通信ネットワーク上での送信の前に照明された対象の鮮明な画像を作成するよう受光した光を拡散するために、ベースクランプ機構に柔軟に接続されるとともにウェブカメラの上にシーリングして配置されている。
【発明の概要】
【発明が解決しようとする課題】
【０００７】
種々の装置が従来知られている。しかしながら、その構造及び動作の手段は、本開示と著しくことなる。他の発明は、本開示によって教示された全ての問題を解決しない。本発明の少なくとも一つの実施の形態を、以下で説明する図面に示すとともにここで詳細に説明する。
【課題を解決するための手段】
【０００８】
本発明は、コンピュータデバイス、特に、ハンドヘルドコンピュータデバイスと共に用いられる照明装置を開示する。照明装置は、光源と、電源コネクタと、光源をコンピュータデバイスに取り付ける取付部品と、を備える。本発明によって開示された照明装置は、ビデオ通話、ビデオ会議、撮影及び他のカメラに関連した又は関連しない活動の経験を著しく向上させる。
【０００９】
一実施の形態において、コンピュータデバイスに取り外し可能に結合することができる照明装置を開示する。照明装置は、前面及び前面に対向する背面を有するケースを含む。ケースは、前面の受け入れエリアにコンピュータデバイスを受け入れるようなサイズとなっている。照明装置は、ケースの前面と背面の少なくとも一方に配置される少なくとも一つの光源も含む。少なくとも一つの光源は、少なくとも一つのライトカバーによってカバーされ、少なくとも一つのライトカバーは、少なくとも一つの光源によって生じた光の外観(appearance)を変える。照明装置は、少なくとも一つの光源の点灯状態と強度の少なくとも一方を変えるように構成された光制御機構と、少なくとも一つの光源に操作的に結合されている電源と、を更に有する。
【００１０】
一実施の形態において、コンピュータデバイスに取り外し可能に結合することができる照明装置を開示する。照明装置は、受け入れエリアにコンピュータデバイスを受け入れるようなサイズとなっているケースと、ケースに配置される少なくとも一つの光源と、を含む。少なくとも一つの光源は、少なくとも一つのライトカバーによってカバーされ、少なくとも一つのライトカバーは、少なくとも一つの光源によって生じた光の出現を変える。照明装置は、少なくとも一つの光源の点灯状態と強度の少なくとも一方を変えるように構成された光制御機構と、少なくとも一つの光源に操作的に結合されている電源と、コンピュータデバイスを受け入れエリアに結合するとともにコンピュータデバイスを電源に電気的に結合する固定機構と、電源及びコンピュータデバイスの内部電源の充電を制御するように構成されている充電制御機構と、を更に含む。
【００１１】
一実施の形態において、本発明は、コンピュータデバイスに取り外し可能に結合することができる照明装置であって、コンピュータデバイスを受け入れるようなサイズとなっている凹所を有する取付部品であって、取付部品は、コンピュータデバイスの上面、底面及び／又は側面に沿った少なくとも一つのタッチ検知面に対するアクセスを提供する取付部品と、コンピュータデバイスを凹所に保持する少なくとも一つの固定機構と、取付部品の内部に保持されている少なくとも一つの光源であって、少なくとも一つの光源がライトカバーによってカバーされている少なくとも一つの光源と、取付部品の表面に配置されているタッチ検知ボタンであって、タッチ検知ボタンが少なくとも一つの光源の強度を変化させるタッチ検知ボタンと、少なくとも一つの光源に操作的に結合されている電源と、を有する照明装置を記載及び教示する。
【００１２】
本発明の他の実施の形態において、コンピュータデバイスのための照明装置は、コンピュータデバイスに取り外し可能に結合することができる取付部品であって、取付部品は、前面、背面、上面、底面及び少なくとも二つの側面を有し、少なくとも二つの側面は、前面を超えて延在するように配置されたライトレールを有する取付部品と、取付部品の底面に配置されている充電ポートと、背面又は少なくとも二つの側面の一つに配置された少なくとも一つのタッチ検知ボタンと、組立部品の底面に配置された充電ポートと、少なくとも二つの側面の中に配置された複数の光源と、取付部品の内部に含まれるとともに複数の光源に操作的に結合される電源と、を有する。
【００１３】
本発明の更に別の実施の形態において、コンピュータデバイスのための照明装置は、コンピュータデバイスに取り外し可能に結合することができる取付部品であって、取付部品は、前面、背面、上面、底面及び少なくとも二つの側面を有し、少なくとも二つの側面の各々は、ライトカバーを備える少なくとも一つのライトレール及び複数の光源を有し、少なくとも一つのライトレールは、前面を超えて延在し、取付部品は、コンピュータデバイスを受け入れるようなサイズとなっている凹所を有する取付部品と、取付部品の背面に配置されている少なくとも一つのタッチ検知ボタンであって、少なくとも一つのタッチ検知ボタンは、複数の光源の点灯状態を変えるタッチ検知ボタンと、取付部品の内部に含まれるとともに複数の光源に操作的に結合されている充電式バッテリと、取付部品の底面に配置されている充電ポートと、取付部品にコンピュータデバイスを保持することができる少なくとも二つの固定構造であって、少なくとも二つの固定構造は、個別のライトレールから延在する横方向エクステンション(lateral extension)であり、コンピュータデバイスは、取付部品の屈曲により少なくとも二つの固定構造から解放される少なくとも二つの固定構造と、を有する。
【００１４】
上述したいように、「コンピュータデバイス」は、広い概念であり、コンピュータデバイスとして、デスクトップコンピュータ、ラップトップコンピュータ及びハンドヘルドコンピュータデバイスを引き合いに出すが、それに限定されず、ハンドヘルドコンピュータデバイスは、例えば、ｉＰｈｏｎｅ（登録商標）又はＡｎｄｒｏｉｄ（登録商標）のようなスマートフォン、ｉＰａｄ（登録商標）のような演算タブレット、携帯情報端末（ＰＤＡ）、及び、比較的小型かつ軽量であるとともに基本的な演算能力及びインターネット接続能力を備えている他の装置であるが、それに限定されない。本発明の使用を、ハンドヘルドコンピュータデバイスにおいて更に詳しく示すので、議論は、そのような装置に集中する。しかしながら、ここで開示する照明装置は、デスクトップコンピュータ及びラップトップコンピュータで実現されてもよく、顕著な利点を有する。
【００１５】
前面カメラ及び背面カメラの実現によって、ハンドヘルドコンピュータデバイスを、以前には思い付くことができなかった方法で用いることができる。上述したように、用途の一つは、ユーザが互いに同時に見て話すことができるビデオ通話又はビデオ会議である。大抵の場合、ユーザは、表示スクリーンを有する側として規定されるとともにユーザに対向するハンドヘルドコンピュータデバイスの前面でハンドヘルドコンピュータデバイスを保持する。したがって、表示スクリーンと同一の側にあるカメラである前面カメラは、ユーザの画像、特に、ユーザの顔の画像を取得することができる。ネットワーク構築機能によって、ハンドヘルドコンピュータデバイスは、取得した画像及び記録した音声信号を、ビデオ通話又はビデオ会議に参加する他の当事者に転送する。
【００１６】
しかしながら、そうような通信経験(communication experience)は、弱い又は不適切な照明によって損なわれることがある。非常に暗いとき、前面カメラがユーザの使用可能な画像を取得するのは非常に困難となり、ビデオ通話が魅力的でなくなる。さらに、ハンドヘルドコンピュータデバイスによって行われる多くの他のカメラに関連する処理及びアプリケーションは、最適な照明条件のために同様な要求を有することがある。一つの簡単な例は、ハンドヘルドコンピュータデバイスを用いたユーザ自体、他の人又は他のシーン若しくは対象の撮影又は録画である。周辺光が非常に弱いとき、写真又はビデオの結果を損なうことがある。他の例は、ユーザがディスプレイでユーザ自体の画像を見ることができるハンドヘルドコンピュータデバイスの「ミラー」アプリケーション("mirror" application)である。悪い周辺光条件は、そのようなアプリケーションの使用も損なう。
【００１７】
現在のデバイスは、光源、好適には、複数の発光ダイオード（ＬＥＤ）をハンドヘルドコンピュータデバイスに取り付けることによって上述した問題に対処し、これによって、光源は、ユーザ、特に、ユーザの顔を照明することができ、前面カメラ又は背面カメラは、ユーザ又は他の任意の対象の最適な画像を取得することができるとともに、ビデオ通話、写真若しくはビデオ取得、「ミラーアプリケーション」又は他の任意のカメラに関連した経験を容易にする。
【００１８】
さらに、基本設計を用いることによって、アプリケーション及びユーザに対する異なる要求を満足するために照明装置の異なる種類の例を提供する種々の変形がある。アプリケーションの一部は、カメラに関連する必要がある。その理由は、ここで開示した照明装置が照明を行う機能の他に信号伝達能力も有することがあるからである。
【００１９】
示唆したように、光源は、好適にはＬＥＤライトである。しかしながら、光源は、電球型蛍光灯（ＣＦＬ）又はエレクトロルミネッセントライトのような他のライトであってもよい。特に、ＲＩＬＩ技術に基づくライトのようなアルガエベース(algae-based)ワイヤ及びパネルを用いたエレクトロルミネッセントライトを、現在の装置の光源として組み込んでもよい。さらに、時々、光度、視野角及び拡散に関して調整可能なライトを作成するのが望ましい。ライトは、カラーライトを用いることによって又はカラーカバーを追加することによって色を有することができる。一般的には、更なる調整機能を実現することによって、照明装置は、種々の目的で一人以上の人に照明を行うことができる。照明装置は、異なるパターンを示すために点滅することができ、これによって、異なる要求を満足させる。
【００２０】
ハンドヘルドコンピュータデバイスの電源から分離した電源が存在することがある。電源は、照明に必要なエネルギーを供給するために電源コネクタを通じてライトに接続されてもよい。電源を、標準的なＡＡＡ亜鉛炭素若しくはアルカリ電池又はエネルギーの要求若しくは物理的な収容に関する要求に適合することができる他のタイプ又はサイズの一つ以上のバッテリとしてもよい。バッテリは、使い捨て又は充電可能であり、これによって、コストパフォーマンス及び利便性に関する柔軟性を許容する。バッテリを、照明装置とハンドヘルドコンピュータデバイスの両方に接続してもよく、これによって、エネルギーを両方の装置に供給し、ハンドヘルドコンピュータデバイスに対するバックアップ又は追加電源としての役割を果たす。それに対し、単に光源をハンドヘルドコンピュータデバイスに接続するとともに光源がハンドヘルドコンピュータデバイスの電力を用いるようにすることもでき、これによって、照明装置のサイズ及び重量を減少させ、持ち運びやすくなる。
【００２１】
照明装置は、光源をハンドヘルドコンピュータデバイスに取り付ける取付部品を含む。取付は、ライトをユーザの要求に応じて追加又は取り除くことができるように非永久的であるのが好ましい。取付部品は、多くの形態をとってもよい。例えば、取付部品を、取付のためにハンドヘルドコンピュータデバイスのための凹所又はドッキング場所を有するとともに電源及び電源コネクタを入れるくぼみを有する平坦なケースであってもよい。本発明は、ライトとハンドヘルドコンピュータデバイスとの間の簡便な接続を可能にする全ての種類の取付部品を含む。さらに、取付部品は、ハンドヘルドコンピュータデバイスの見やすい位置での支持のような他の目的に適ってもよく、これによって、ハンドヘルドコンピュータデバイスのユーザは、デバイスをハンドフリーモードでデバイスを見ることができる。さらに、更に複雑な取付部品は、共同制御及びデータ共有の観点から照明装置をハンドヘルドコンピュータデバイスに更に統合することができる構造を有してもよい。
【００２２】
照明装置は、ユーザがライトをオン及びオフに切り替えることができる外部スイッチを更に備えてもよい。しかしながら、特に、照明装置がハンドヘルドコンピュータデバイスに十分に統合されるときには、ライトを制御するためのハンドヘルドコンピュータデバイスのボタン、スイッチ及びメニューを用いることができる。
【００２３】
上述したように、照明装置を、ビデオ通話若しくはビデオ会議を容易にするために又はハンドヘルドコンピュータデバイスの他のカメラに関連する機能を強化するために用いてもよい。そのような場合、本発明によって教示される照明装置は、追加の良好に制御された照明を行うことによってそのような経験を強化することができる。
【００２４】
さらに、ライトとハンドヘルドコンピュータデバイスとの間の更なる接続を用いることによって、照明装置のライトは、ハンドヘルドコンピュータデバイスの状態のインディケータとして又はハンドヘルドコンピュータデバイスで用いられるアプリケーションのシグナルとしての役割を果たしてもよい。例えば、ライトは、着呼があるときに点滅又は点灯してもよい。また、ライトは、ユーザがハンドヘルドコンピュータデバイスで話すとき又は所定の音楽を再生する若しくはゲームをプレイするときに点灯パターン、光度又は色を変えてもよい。
【００２５】
また、本発明の範囲は、照明装置を制御するのに用いてもよい一連のコンピュータプログラム又はアプリケーションである。例えば、そのようなプログラムの基本バージョンは、照明装置の光度、視野角、照明パターン及び／又は色を調整することができる。更に向上したプログラムによって、照明装置は、着呼のようなハンドヘルドコンピュータデバイスの状態と協同することができる。更に別の向上したプログラムは、ライトがアプリケーションによって部分的に制御されるように照明装置に他のアプリケーションを統合してもよい。
【００２６】
一般的には、照明装置は、小型であり、携帯型であり、多用途であり、エネルギー効率がよく、耐久性があり、かつ、ハンドヘルドコンピュータデバイス、更に一般的には、照明装置と共に用いられるコンピュータデバイスに十分適合するように設計される。
【００２７】
要約すると、本発明の目的は、コンピュータデバイス、特に、ハンドヘルドコンピュータデバイスに取り付けることができる照明装置を提供することである。
【００２８】
本発明の更に別の目的は、電源によって給電することができる照明装置を提供することである。
【００２９】
本発明の更に別の目的は、照明装置が取り付けられるハンドヘルドコンピュータデバイスに統合された電源によって給電することができる照明装置を提供することである。
【００３０】
本発明の更に別の目的は、外部スイッチによって制御することができる照明装置を提供することである。
【００３１】
本発明の更に別の目的は、照明装置が取り付けられるハンドヘルドコンピュータデバイスに統合されたボタン、スイッチ又はメニューによって制御することができる照明装置を提供することである。
【００３２】
本発明の更に別の目的は、強度、角度及び拡散が調整可能なライトを有する照明装置を提供することである。
【００３３】
本発明の更に別の目的は、一人又は複数の人に対するライトを提供する照明装置を提供することである。
【００３４】
本発明の更に別の目的は、ビデオ通話又はビデオ会議中にハンドヘルドコンピュータデバイスのユーザに照明を行う照明装置を提供することである。
【００３５】
本発明の更に別の目的は、ユーザ自体、他の人又は他の対象の撮影又は録画を行うハンドヘルドコンピュータデバイスのユーザに対するライトを提供する照明装置を提供することである。
【００３６】
本発明の更に別の目的は、ユーザがハンドヘルドコンピュータデバイスにおいて再生画像を見るときにハンドヘルドコンピュータデバイスのユーザを照明する照明装置を提供することである。
【００３７】
本発明の更に別の目的は、照明装置が接続されているハンドヘルドコンピュータデバイスに着呼があるときに点灯又は点滅する照明装置を提供することである。
【００３８】
本発明の更に別の目的は、携帯することができるとともに使用が容易な照明装置を提供することである。
【００３９】
本発明の更に別の目的は、照明パターン、光度、視野角又は色を変えることができる照明装置を提供することである。
【００４０】
本発明の更に別の目的は、ハンドヘルドコンピュータデバイスの状態又はハンドヘルドコンピュータデバイスのアプリケーションに対するインディケータ又はシグナルとしての役割を果たすことができる照明装置を提供することである。
【００４１】
本発明の更に別の目的は、照明装置が接続されているハンドヘルドコンピュータデバイスにおいてユーザが話している、音楽を再生している又はゲームをプレイしているときに光度、視野角、照明パターン又は色を変化させることができる照明装置を提供することである。
【００４２】
本発明の更に別の目的は、光を拡散する照明装置を提供することである。
【図面の簡単な説明】
【００４３】
【図１】照明装置がハンドヘルドコンピュータデバイスに接続されているときの本発明の第１の実施の形態の等尺前面図である。
【図２】照明装置がハンドヘルドコンピュータデバイスに接続されているときの本発明の第１の実施の形態の等尺側面図である。
【図３】照明装置がハンドヘルドコンピュータデバイスに接続されているときの本発明の第１の実施の形態の等尺背面図である。
【図４】照明装置がハンドヘルドコンピュータデバイスに接続されているときの本発明の第２の実施の形態の等尺前面図である。
【図５】照明装置がハンドヘルドコンピュータデバイスに接続されているときの本発明の第２の実施の形態の等尺側面図である。
【図６】照明装置がハンドヘルドコンピュータデバイスに接続されているときの本発明の第３の実施の形態の等尺前面図である。
【図７】ハンドヘルドコンピュータデバイスに結合又は接続されていない本発明の他の実施の形態の前面図である。
【図８】図７に示す実施の形態の背面図である。
【図９】照明装置の右側面に沿った本発明の実施の形態の側面図である。
【図１０】照明装置の左側面に沿った本発明の実施の形態の側面図である。
【図１１】本発明の実施の形態の上面図である。
【図１２】本発明の実施の形態の底面図である。
【図１３】下に存在する光源が露出するように一部を取り除いた本発明の実施の形態の斜視図である。
【図１４】本発明の実施の形態の底面側からの断面図である。
【図１５】結合されているハンドヘルドコンピュータデバイスを有する本発明の実施の形態の斜視図である。
【図１６Ａ】ハンドヘルドコンピュータデバイスに結合又は接続されていない本発明の他の実施の形態の背面図である。
【図１６Ｂ】図１６Ａに示す実施の形態の前面図である。
【図１６Ｃ】図１６Ａに示す実施の形態の底面側からの斜視図である。
【図１６Ｄ】図１６Ａに示す実施の形態のライン１６Ｄ−１６Ｄに沿った断面図である。
【図１６Ｅ】本発明の他の態様による図１６Ａに示す実施の形態のライン１６Ｄ−１６Ｄに沿った断面図である。
【図１６Ｆ】図１６Ｂに示す実施の形態のライン１６Ｆ−１６Ｆに沿った断面図である。
【図１７Ａ】ハンドヘルドコンピュータデバイスに結合又は接続されていない本発明の他の実施の形態の背面図である。
【図１７Ｂ】図１７Ａに示す実施の形態の前面図である。
【図１７Ｃ】図１７Ａに示す実施の形態のライン１７Ｃ−１７Ｃに沿った断面図である。
【図１７Ｄ】本発明の他の態様による図１７Ａに示す実施の形態のライン１７Ｃ−１７Ｃに沿った断面図である。
【図１８Ａ】下に存在する光源が露出するように一部を取り除いた本発明の実施の形態の前面側からの断面図である。
【図１８Ｂ】図１８Ａに示す実施の形態のライン１８Ｂ−１８Ｂに沿った断面である。
【図１８Ｃ】図１８Ｂに示す実施の形態の部分１８Ｃの断面図である。
【図１９Ａ】部分を含む図１８Ａに示す実施の形態のライン１８Ｂ−１８Ｂに沿った断面図である。
【図１９Ｂ】図１９Ａに示す実施の形態の部分１９Ｂの断面図である。
【図１９Ｃ】他の実施の形態の底面側からの断面図である。
【図１９Ｄ】図１９Ｃに示す実施の形態の部分１９Ｄの断面図である。
【図２０Ａ】本発明の他の実施の形態の背面側からの斜視図である。
【図２０Ｂ】本発明の他の実施の形態の背面側からの斜視図である。
【図２１Ａ】ハンドヘルドコンピュータデバイスに結合又は接続されていない本発明の実施の形態の背面図である。
【図２１Ｂ】図２１Ａに示す実施の形態の右側面図である。
【図２１Ｃ】図２１Ａに示す実施の形態の分解背面図である。
【図２１Ｄ】図２１Ｃに示す実施の形態の分解右側面図である。
【図２１Ｅ】図２１Ａに示す実施の形態の前面側からの斜視図である。
【図２１Ｆ】図２１Ｅに示す実施の形態の分解斜視図である。
【図２２Ａ】ハンドヘルドコンピュータデバイスに結合又は接続されていない本発明の他の実施の形態の前面図である。
【図２２Ｂ】図２２Ａに示す実施の形態の右側面図である。
【図２２Ｃ】図２２Ａに示す実施の形態の分解前面図である。
【図２２Ｄ】図２２Ａに示す実施の形態の前面側からの斜視図である。
【図２２Ｅ】図２２Ｃに示す実施の形態の分解斜視図である。
【図２３Ａ】ハンドヘルドコンピュータデバイスに結合又は接続されていない本発明の他の実施の形態の前面図である。
【図２３Ｂ】図２３Ａに示す実施の形態の右側面図である。
【図２３Ｃ】図２３Ａに示す実施の形態の左側面図である。
【図２３Ｄ】図２３Ａに示す実施の形態の分解前面図である。
【図２３Ｅ】図２３Ｄに示す実施の形態の分解右側面図である。
【図２３Ｆ】図２３Ｄに示す実施の形態の前面からの斜視図である。
【図２４Ａ】ハンドヘルドコンピュータデバイスに結合又は接続されていない本発明の他の実施の形態の前面図である。
【図２４Ｂ】図２４Ａに示す実施の形態の右側面図である。
【図２４Ｃ】開いた状態である図２４Ａに示す実施の形態の前面図である。
【図２４Ｄ】図２４Ｃに示す実施の形態の前面からの斜視図である。
【図２４Ｅ】閉じた状態の図２４Ａに示す実施の形態の右側面からの斜視図である。
【図２４Ｆ】図２４Ｃに示す実施の形態の前面からの他の斜視図である。
【発明を実施するための形態】
【００４４】
本発明の好適な実施の形態を、図面を参照しながら説明する。種々の図面の同一の構成要素には同一の参照番号を付す。
【００４５】
本発明の実施の形態について詳細に説明する。そのような実施の形態を、本発明の説明によって提供するが、本発明はそれに限定されない。実際には、当業者は、本願の明細書を読むとともに本願の図面を見た時に種々の変更及び変更を行うことができることを理解する。
【００４６】
図１は、照明装置がハンドヘルドコンピュータデバイスに接続されているときの本発明の第１の実施の形態の等尺前面図である。コンピュータデバイスに取り付けられている照明装置１を図１に示し、照明装置１は、ここではケース５５として示す取付部品と、電源３０と、ハンドヘルドコンピュータデバイスに対するドック６０と、照明装置スイッチ７０と、複数のＬＥＤを備える光源と、を備える。明瞭のために、図１において全てのＬＥＤに符号を付けない。ハンドヘルドコンピュータデバイス１００も図１に示し、ハンドヘルドコンピュータデバイス１００は、前面１００を規定する表示スクリーン１３０と、ＯＮボタン１７０と、ＯＦＦボタン１８０と、ＭＥＮＵスイッチ１９０と、前面カメラ１２０と、を有する。表示スクリーン１３０に表示される画像１４０も図１に示す。
【００４７】
上述したように、ハンドヘルドコンピュータデバイスは広く定義される。図１において、ハンドヘルドコンピュータデバイス１００を、表示スクリーン１３０、ＯＮボタン１７０、ＯＦＦボタン１８０及びＭＥＮＵボタン１９０を有するスマートフォンとして示す。しかしながら、電源３０、ケース５０及びドック６０に対して所定の調整を行うことによってあらゆるコンピュータデバイスを収容するために本発明を用いることができることは明らかである。さらに、ハンドヘルドコンピュータデバイス１００の形式及び形態は、デバイスのブランド及びバージョンによって大幅に変わってもよい。ハンドヘルドコンピュータデバイス１００が図１に示すボタンとスイッチの何れかを有しない可能性が高い。それにもかかわらず、本発明があらゆる種類のコンピュータデバイス、特に、ハンドヘルドコンピュータデバイスを収容することができる照明装置１を提供することは明らかである。
【００４８】
図１に示す画像１４０は、ここでは、ハンドヘルドコンピュータデバイスが使用中であるときのスクリーンのあり得る表示を表していることを示す。画像１４０を、ハンドヘルドコンピュータデバイスのユーザとのビデオ通話又はビデオ会議に参加している当事者の画像としてもよい。画像１４０を、写真又はビデオが前面カメラによって取得されたときのハンドヘルドコンピュータデバイスのユーザの画像としてもよい。画像１４０がハンドヘルドコンピュータデバイスのユーザの画像であるとき、ユーザは、最適な結果を達成するために画像を観察して光源１０の光度、視野角、色及び照明パターンを調整してもよい。ユーザは、ハンドヘルドコンピュータデバイス１００からの距離を調整してもよい。装置によるユーザの照明は、カメラからユーザまでの適切な距離が達成されるときに最もよくなる。画像１４０を、前方カメラ以外のカメラによって取得した任意の人又は対象の画像としてもよい。さらに、画像１４０は、スクリーン１３０に表示される任意の写真又は画像を示す役割を果たしてもよい。
【００４９】
ＬＥＤは、図１に示すように、好適なタイプの光源１０である。上述したように、ＣＦＬ又はエレクトロルミネセントライトのような他の種類のライトを光源１０として用いてもよい。ＬＥＤの基本形態は、ユーザの特定の要求及び照明装置１の特定の使用に従って変わってもよい。例えば、ＬＥＤの光度、視野角及び色は、モデルごとに異なってもよい。白色光又はカラー光を出射するＬＥＤを用いることができる。白色ＬＥＤが色を示すことができるようにするためにカラーカバー又はフィルムを用いてもよい。好適には、図１に示すように、複数のＬＥＤが光源１０として用いられる。しかしながら、一つのライトのみを用いることができる。ＬＥＤを、ＬＥＤのオン若しくはオフの切替に関して又はＬＥＤの光度、視野角及び色に関して個別の又は全体的に制御してもよい。代替的に、ＬＥＤを、個別のサブセクションとして制御できるサブセクションに配置してもよい。例えば、図１に示すように、ＬＥＤを、三つのサブセクション：左の４個のＬＥＤ、右の４個のＬＥＤ及び上の二つのＬＥＤに配置してもよい。ハンドヘルドコンピュータデバイス１００のユーザが所望する場合、ユーザは、周辺光状態、ユーザの姿勢及び／又は含まれるアプリケーション又は処理に従って任意のサブセクションをオン及びオフに切り替える又は任意のサブセクションの形態を変化させるように選択してもよい。
【００５０】
ＬＥＤは、種々の技術仕様及び寸法を有してもよい。一般的には、ＬＥＤは、小型であり、かつ、ハンドヘルドコンピュータデバイス１００及び意図した使用に整合すべきである。標準的なＴ１  ＬＥＤ、Ｔ１−３／４  ＬＥＤ、各種表面実装ＬＥＤ、小型ＬＥＤ，中型ＬＥＤ、高電力ＬＥＤ、ＬＥＤパネル、ＬＥＤモジュール及び他の種類のＬＥＤは全て特定の使用の選択に対して可能である。一部の特定のタイプのＬＥＤを、特殊効果に用いてもよい。
【００５１】
例えば、単一波長のＬＥＤを光線療法に用いてもよい。一般的には、ＬＥＤは、０．１μＡから１Ａまでの範囲の電流及び０．１ｍＶから２５０Ｖまでの範囲の電圧を有する０．１ｍＷから５０Ｗまでの範囲の電力を用いてもよい。ＬＥＤは、特定の波長を有する白色光又はカラー光を出射してもよい。好適な実施の形態において、ＬＥＤは、暖色温度すなわち２４００Ｋの光を出射する。
【００５２】
図１の電源３０は、照明装置１の必須の構成要素ではない。一部の状況において、図１に示すような電源３０を有するのが好ましい。しかしながら、他の状況において、電源を有することは、異なる利点を示す。例えば、照明装置１にハンドヘルドコンピュータデバイス１００の外部電源のコネクタが備えられている場合、照明装置１は、ハンドヘルドコンピュータデバイス１００と電源を共有することができ、これによって、照明装置１の構造が複雑でなくなり、制御が容易になる。しかしながら、長いバッテリ寿命を有するのが望ましい又は種々のハンドヘルドコンピュータデバイス１００に適合することができる変更可能な照明装置１を有するのが望ましい場合、図１に示す電源３０と同様な電源を有するのが有利となることがある。その理由は、電源コネクタが全ての異なるハンドヘルドコンピュータデバイスに適合しないことがあるからである。
【００５３】
図１において、電源３０をバッテリとしてもよい。しかしながら、光源１０にエネルギーが供給さえすれば電源３０を他の種類の電源にしてもよい。バッテリを用いる場合、電源３０を、コスト及び利便性のような種々の関心事に対処する使い捨て電池又は充電式電池としてもよい。化学組成に関して、多種のバッテリを用いることができる。電源３０として用いられるバッテリのタイプは、亜鉛炭素電池、アルカリ電池、アルミニウム電池、乾電池、鉛酸蓄電池、リチウム電池、ニッケル電池、カリウム電池及びナトリウムイオン電池を含むが、それに限定されない。
【００５４】
電源３０は、電力をＬＥＤに供給するように設計される。電源３０から供給される電圧及び電流がＬＥＤを給電するのに不十分であるとき、電源からの出力を増大してＬＥＤに十分に供給するのを保証するためにバックブーストコンバータのような調整回路を含んでもよい。そのような調整回路は、従来周知である。さらに、照明装置１は、バッテリ寿命を測定するとともに必要なときには電池の交換をユーザに知らせるバッテリメータを更に備えてもよい。そのようなバッテリメータの技術も従来周知である。
【００５５】
ＬＥＤへの電力の供給に加えて、電源３０は、ハンドヘルドコンピュータデバイス１００に対するバックアップ電源としての役割を果たしてもよい。ハンドヘルドコンピュータデバイス１００と照明装置１との間の適切な接続を用いることによって、制御回路と電気的な接続の両方に関して、電源３０を、ハンドヘルドコンピュータデバイス１００に直接エネルギーを供給するのに用いることができ、これによって、全体的なバッテリ寿命が長くなり、更に大きい柔軟性を提供する。電源３０が充電可能であるとき、ハンドヘルドコンピュータデバイス１００を再充電してもよく、これによって、照明装置１とハンドヘルドコンピュータデバイス１００の両方に電力を供給する手頃な解決を提供する。
【００５６】
図１がケース５５及び電源３０の位置及び配置に対する実例となっていることに留意されたい。電源３０を他の位置に配置してもよい。例えば、電源３０を、ケース５５の背面に取り付けられたチャンバにおいてシールドされてもよい。
【００５７】
図１において、照明装置スイッチ７０も示す。電源３０のそのような外部スイッチは、照明装置１の必須部分ではない。照明装置１がハンドヘルドコンピュータデバイス１００に十分に統合される場合、ハンドヘルドコンピュータデバイス１００のボタン、メニュー及びスイッチを介してＬＥＤのあらゆる側面を制御することができる。そのような設計は、個別、サブセクション又はグループ全体のＬＥＤの光度、視野角、色及び照明パターンについての全範囲のオプションを提供してもよい。しかしながら、所定の状況において、外部スイッチを有するのが望ましい。その理由は、外部スイッチがライトの迅速かつ容易な利用しやすい制御を行うことができるからである。
【００５８】
種々の要求に適合するためにスイッチ７０が種々の設計を有してもよいことに留意されたい。スイッチ７０を、機械的、電気的又は論理的にすることができる。スイッチ７０の最も単純な形態において、スイッチ７０は、他の任意の調整能力を有することなく全てのＬＥＤをオン及びオフに切り替えてもよい。しかしながら、スイッチ７０を、所定の範囲のＬＥＤの輝度又は光度を決定する調光器として設計してもよい。一つのあり得る設計では、スイッチ７０は、ＬＥＤをカバーする接合レンズ(articulating lens)又はレンズのような調整の機械的な手段を制御してもよく、これによって、照度を変えることができる。スイッチ７０がそのような機能を実行できるようにするために、ポテンショメータのような周知の回路を照明装置に含めてもよい。さらに、スイッチ７０は、個別、サブセクション又はグループ全体のＬＥＤの光度、視野角、色及び照明パターンを制御するために更に複雑な設計を有してもよい。
【００５９】
本発明は、光源１０をコンピュータデバイスに取り付ける取付部品を開示する。図１に示す実施の形態において、コンピュータデバイスがハンドヘルドコンピュータデバイス１００であるのに対して、取付部品は、ハンドヘルドコンピュータデバイス１００を部分的に包む凹所を有するケース５５であり、表示スクリーン１３０を明確に見ることができるようにするとともに前面カメラ１２０がブロックされないように前面１１０は大幅に露出された状態となる。ハンドヘルドコンピュータデバイス１００は、ケース５５の凹所にスナップインする。ＬＥＤは、ＬＥＤからの光をハンドヘルドコンピュータデバイス１００の前面１１０に略垂直な方向に向けるためにケース５５の縁に取り付けられる。
【００６０】
ケース５５は、ワンピース構造であってもよい又は更なる柔軟性及び利便性のためにマルチピース設計を有してもよい。光源１０のハンドヘルドコンピュータデバイス１００への取付に加えて、ケース５５は、ハンドヘルドコンピュータデバイス１００に対する物理的及び衛生的な保護を設けてもよく、これによって、物理的な衝撃による損傷を防止する。ケース５５を、ゴム、革、木、大理石、人造石（例えば、サイルストーン（登録商標））、グラファイト（例えば、炭素繊維）、金属シート若しくは金属ホイル、又は、ポリエチレンテレフタレート（ＰＥＴ）、ポリエチレン（ＰＥ）、高密度ポリエチレン、ポリ塩化ビニル（ＰＶＤＣ）、低密度ポリエチレン（ＬＤＰＥ）、ポリプロピレン（ＰＰ）、耐衝撃性ポリスチレン（ＨＩＰＳ）及びポリカーボネートを含むがそれに限定されないプラスチック、又は、その一部の組合せを含むがそれに限定されない材料から構成されてもよい。ケース５５を１種類の材料から構成してもよく、ケース５５の異なるパーツを異なる材料から構成してもよく、これによって、最適な保護及び感触を保証する。
【００６１】
「スナップイン」設計がハンドヘルドコンピュータデバイス１００をケース５５に接続するための取付の唯一の形態でないことに留意されたい。例えば、ケース５５は、二つのカバーを備えてもよく、その一方又は両方をスライド自在にハンドヘルドコンピュータデバイス１００に接続してもよい。ハンドヘルドコンピュータデバイス１００を、予め配置されたねじ(pre-positions screw)、面ファスナー、リベット打ち又は安全な取付を行うことができる他の任意の種類の機構のような他の手段によってケースに固定することもできる。好適には、ケース５５は、ハンドヘルドコンピュータデバイス１００に取り外し可能にして取り付けられ、これによって、更に高いレベルの柔軟性で容易な取外しを行うことができる。しかしながら、ケース５５のハンドヘルドコンピュータデバイス１００への永久的な固定も許容することができ、これによって、ハンドヘルドコンピュータデバイス１００と照明装置１との間の高レベルの統合が可能になる。
【００６２】
ＬＥＤを、安全な取付を許容する任意の手段によってケース５５に取り付けてもよい。ＬＥＤを、溶接、ねじ留め、リベット付け、接着、共通成形(co-molded)又は他の任意の方法によってケース５５にリンク又は挿入してもよい。予め位置決めされた磁石、面ファスナー又はスナップのような必要な構造を、ＬＥＤをケース５５に固定するために用いてもよい。一般的には、ＬＥＤを、永久的に又は取り外し可能にケース５５に接続してもよい。さらに、ＬＥＤをケースに接続する手法は、用いられるＬＥＤのタイプ又はケースのタイプに応じて変えてもよい。
【００６３】
取付後、ＬＥＤの相対位置及び投影角は調整可能であってもよく、これによって、照明のエリア、範囲及び深さに対する更なる柔軟性を可能にする。さらに、ＬＥＤの取付方法を、ＬＥＤがハンドヘルドコンピュータデバイスの前面に略垂直でない方向に照明を行うことができるように設計してもよい。例えば、各ＬＥＤを、ＬＥＤを全ての方向に傾けることができるユニバーサルホイール(universal wheel)によってケースに取り付けてもよい。したがって、ＬＥＤをハンドヘルドコンピュータデバイスの背面カメラとともに用いるのが望ましいとき、そのような設計によって、ＬＥＤは、背面カメラの方向に照明を行うことができる。
【００６４】
上述したように、取付部品は、ケース５５とは別の形態をとってもよい。その鍵は、取付部品によって光源をハンドヘルドコンピュータデバイス１００に取り付けることができるようにすることである。最も簡単な形態において、光源１０をハンドヘルドコンピュータデバイスに直接取り付けてもよく、これによって、光源をハンドヘルドコンピュータデバイスに統合することができる。その場合、取付部品は、単に、磁石、接着剤、ねじ、リベット又は光源１０をハンドヘルドコンピュータデバイスに接続する溶接材料のような最小の材料又は構造を有してもよい。更に複雑な形態において、取付部品は、単に、一つ以上の取付ストリップを備えてもよく、取付ストリップは、ストリップの上に取り付けられたＬＥＤを有し、これらのストリップを、あり得る任意の手段を介してハンドヘルドコンピュータデバイスに取り付けてもよい。ストリップを、ねじ又はヒンジによってハンドヘルドコンピュータデバイスに接続してもよく、これによって、ストリップを、取付を維持しながらハンドヘルドコンピュータデバイスから離れるように傾けることができ、ＬＥＤは、更に広いエリアを照明することができる。必要な場合には、ＬＥＤをハンドヘルドコンピュータデバイスから取り除いてもよく、取付部品は、ＬＥＤを給電及び制御することができるとともにＬＥＤが照明を拡張したエリアに対して行うことができる延長コードを備えてもよい。そのような設計は、照明装置の照明範囲を最大にするのに有用となり得る。
【００６５】
照明装置１は、周辺光の状態を検出及び測定するセンサを更に備えてもよい。そのようなセンサの一般的な構造及び回路は、従来周知である。周辺光センサ（図７参照）は、ハンドヘルドコンピュータデバイスの光度、視野角、色及び照明パターンの調整プロセスを容易にし、これによって、適切なコンピュータプログラムがインストールされたときに自動的な制御が可能となる。
【００６６】
図２は、照明装置がハンドヘルドコンピュータデバイスに接続されているときの本発明の第１の実施の形態の等尺側面図である。種々の素子を見えるようにするために、ケース５５によって視界から遮られた構造を示す破線を用いる。ケース５５、電源３０、ドック６０、ライトカバー２０によってカバーされた複数のＬＥＤ、及び、ＬＥＤを電源３０に接続する電源コネクタを有する照明装置１を図２に示す。ケース５５に包み込まれたハンドヘルドコンピュータデバイス１００も図２に示す。明瞭のために、図２において、全てのＬＥＤ又はライトカバーに符号を付さない。
【００６７】
電源コネクタ４０は、図２に示す電源３０のような電源にＬＥＤを接続する手段を表す。上述したように、電源３０を、バッテリ又はコンパクトかつ安全な他の種類の電源としてもよい。電源コネクタ４０を、光源１０を電源に接続するのに用いることができる従来周知の標準的な電気配線又は他の任意の種類の回路としてもよい。
【００６８】
ドック６０を、ケースと共に取付部品の一部と考えることができる。電源コネクタ４０と同様に、ドック６０は、照明装置の必須構造ではない。しかしながら、ドック６０は、存在する場合にはある重要な役割を果たすことができる。ドック６０は、ハンドヘルドコンピュータデバイス１００をケース５５の中で固定する「スナップイン」構造の一部としての役割を果たすことができる。更に重要なことには、ドック６０は、ハンドヘルドコンピュータデバイス１００に差し込むことができるコネクタを含んでもよく、データの共有、共同制御(synergistic control)及び電源の共有に関して照明装置１とハンドヘルドコンピュータデバイスを統合する役割を果たしてもよい。ドック６０がハンドヘルドコンピュータデバイス１００のコネクタとしての役割を果たすことができるようにする技術は、従来周知である。
【００６９】
ライトカバー２０を、ＬＥＤからの光を拡散する、ＬＥＤからの光を集束する、及び／又は、ＬＥＤ光が白色であるときに所定の色を加えるのに用いられるレンズとしてもよい。ライトカバー２０は、ＬＥＤからの光を拡散して弱めるとともに光を遮ることなく最適な照明を行うのを助ける。
【００７０】
ライトカバー２０を、ポリカーボネートＬＥＤディフーザ、アクリルＬＥＤディフーザ、クリア(clear)ＬＥＤディフーザ、オパールＬＥＤディフーザ、サテンＬＥＤディフーザ、ＬＥＤディフーザフィルム、又は、ＬＥＤ光拡散性能を有する任意の製品若しくは材料を含むがこれに限定されない任意の種類のディフーザとしてもよい。ライトカバー２０を、調整可能な又は調整可能でない任意の種類のレンズとしてもよい。ライトカバー２０を着色してＬＥＤから出射した白色光をカラー光に変えてもよい。
【００７１】
ライトカバー２０をＬＥＤ又はケースに取り付けてもよい。取付方法は、用いられる材料及び種々の構造の特定の形態によって変えてもよい。ライトカバー２０を、取付又は取外しを容易に行うことができるスライド自在又は回転カバーとしてもよい。ライトカバー２０を、ＬＥＤ又は取付部品に接着、ねじ付け、溶接又はリベット付けしてもよい。
【００７２】
ライトカバー２０の形態は、図２に示すものと異なってもよい。例えば、ライトカバー２０は、二つ以上のＬＥＤライトをカバーすることができる「ライトストリップ(light strip)」又は「ライトパイプ」の形態をとってもよい。特に、一つの「ライトパイプ」は、左の四つのＬＥＤをカバーすることができ、別の一つの「ライトパイプ」は、右の四つのＬＥＤをカバーすることができ、別の一つの「ライトパイプ」は、上の二つのＬＥＤをカバーすることができ、これによって、良好な拡散及び良好な照明を行うことができるようになる。代替的に、連続的な「ライトストリップ」又は「ライトバルブ」は、全てのＬＥＤライトをカバーしてもよい。
【００７３】
図３は、照明装置がハンドヘルドコンピュータデバイスに接続されているときの本発明の第１の実施の形態の等尺背面図である。ケース５５及びハンドヘルドコンピュータデバイス１００を図３に示し、ハンドヘルドコンピュータデバイス１００は、背面１１５と、背面１１５の背面カメラ１２５と、を有する。
【００７４】
上述したように、取付部品は多数の形態をとることができる。ここで、ケース５５は、光源１０の取付及びハンドヘルドコンピュータデバイスの一般的な保護の両方を行うことができる一例である。光源１０をケースに取り付ける所定の方法によって、光源１０、好適には、ＬＥＤを、位置調整できるとともに背面カメラ１２５とともに用いることができる。そのような状況において、ＬＥＤは、写真若しくはビデオ取得プロセス又は背面カメラによって実行される他のアプリケーションを支援する。
【００７５】
取付部品は、ケース５５と結合することができる他の構造を備えてもよい。一つのあり得る追加は、フレームスタンド及び／又はハンガーを含むがそれに限定されないハンドフリー構造である。フレームスタンド又はハンガーは、好適には、折り畳み可能であり、ケース５５の背面に取り付けることができ、折り畳みにより占有するスペースが小さくなる。フレームスタンド又はハンガーが折り畳まれない場合、フレームスタンド又はハンガーは、ハンドヘルドコンピュータデバイスを直立位置で支持し又は吊るし、ユーザの手を占有することなくユーザによってディスプレイを楽に見ることができる。更に詳しくは、ケースの（両）側面及び底面の縁を、ケースがスタンドの一部としての役割を果たすことができるように角度を付けた表面によって形成することができる。例えば、外部バッテリが取り付けられる場所に隣接するケースの厚い底面は、所定の角度でＩＰｈｏｎｅ（登録商標）を支持するのに十分な表面を提供することができる。要約すると、フレームスタンド又はハンガーによって、ハンドヘルドコンピュータデバイスをハンドフリーで見ることができ、デバイスによって行うことができることに関して十分な柔軟性を提供することができる。
【００７６】
図４は、照明装置がハンドヘルドコンピュータデバイスに接続されているときの本発明の第２の実施の形態の等尺前面図である。ハンドヘルドコンピュータデバイス１００に取り付けられた照明装置１を図４に示し、照明装置１は、ケース５５及びドック６０を備える取付部品と、複数のＬＥＤと、を備える。明瞭のために、図４において、全てのＬＥＤに符号を付さない。前面１１０を規定する表示スクリーン１３０、ＯＮボタン１７０、ＯＦＦボタン１８０、ＭＥＮＵスイッチ１９０及び前面カメラ１２０を有するハンドヘルドコンピュータデバイス１００も図４に示す。表示スクリーン１３０に表示される画像１４０も図４に示す。
【００７７】
図５は、照明装置がハンドヘルドコンピュータデバイスに接続されているときの本発明の第２の実施の形態の等尺側面図である。種々の素子を見えるようにするために、ケース５５によって覆われた構造を示す破線を用いる。ケース５５、ドック６０、ライトカバー２０によってカバーされた複数のＬＥＤ及び電源コネクタ４０を有する照明装置１を図５に示す。ケース５５に入れられたハンドヘルドコンピュータデバイス１００も図５に示す。明瞭のために、図５において、ＬＥＤ又はライトカバーの全てに符号を付さない。
【００７８】
図４及び図５は、本発明の第２の実施の形態を示す。本実施の形態において、図１及び図２に示す電源及びスイッチはもはや存在しない。光源１０、ここでは複数のＬＥＤは、電源コネクタ４０によってハンドヘルドコンピュータデバイス１００の内部電源に接続されている。さらに、照明装置１及びハンドヘルドコンピュータデバイス１００の更なる統合によって、光源１０の光度、視野角、色及び照明パターンを、ハンドヘルドコンピュータデバイスのスイッチ、ボタン及びメニューによって調整してもよく、これによって、外部制御スイッチが必要でなくなる。そのような設計は、照明装置１の基本構造を簡単化し、それにもかかわらず、照明装置１とハンドヘルドコンピュータデバイスとの間の高いレベルの接続及び協働を必要とする。
【００７９】
第２の実施の形態及び第３の実施の形態を十分に説明する必要がないことに留意されたい。その理由は、そのような説明が第１の実施の形態で行われたからである。特に、実施の形態のいずれかの説明は、説明の間に矛盾がない限り他の実施の形態に含まれると考えるべきである。
【００８０】
図６は、照明装置がハンドヘルドコンピュータデバイスに接続されているときの本発明の第３の実施の形態の等尺前面図である。ハンドヘルドコンピュータデバイス１００に取り付けられた照明装置１を図６に示し、照明装置１は、表示スクリーン１３０を取り囲む円形ライトパネル２００を備える光源１０を備える。前面１１０を規定する表示スクリーン１３０、ＭＥＮＵスイッチ１９０及び前面カメラ１２０を有するハンドヘルドコンピュータデバイス１００も図６に示す。表示スクリーン１３０に表示される画像１４０も図６に示す。
【００８１】
第３の実施の形態において、取付部品、電源３０、ドック６０及び照明装置スイッチ７０のような一部の他の形態を示さない。しかしながら、これらの構造は存在するが直接見えなくなっていることに留意されたい。上述したように、（ライティング社(Lighting, Inc.)のＲｅｖｏｌｕｔｉｏｎによって製造された）ＲｉＬｉ技術に基づくライトのようなアルガエベース(algae-based)ワイヤ及びパネルを用いたエレクトロルミネッセントライトを、光源１０として用いてもよい。円形ライトパネル２００の設計は、そのような照明技術を用いるのに特に適切であり、一般的には、エネルギー効率が良く、寿命が長く、明るく、かつ、広い視野角を有する。円形ライトパネル２００は、好適には、薄く、工業的な接着剤のような任意の種類の接続機構を備える取付部品を用いてハンドヘルドコンピュータデバイス２００に取り付けてもよい。ライトパネル２００の設計、寸法及び形状を機能及び／又は美観の要求に応じて変えてもよい。電源、制御系、及び、光源１０による照明のあり得る表示の変化は、上記及び下記で十分に説明している。
【００８２】
図７及び図８を参照すると、前面及び背面からそれぞれ示す本発明の他の実施の形態がある。照明装置１は、ケース５５の形態をとり、取り付けられるコンピュータデバイス１００（図１５参照）なしで示されている。一般的に、実施の形態は、前面１１０、背面１１５、上面１０５、底面９５及び少なくとも二つの側面９０を有する。これらの面の各々は、一般的には、図７に示すような凹所６５を規定する役割を果たす。
【００８３】
側面９０の各々は、一般的には、前面１１０から前面１１０を超えて延在する水平エクステンション又はライトレールを有する。ライトレールは、一般的には、ライトカバー２０及び複数の光源又はＬＥＤを備える。複数の光源１０は、好適には、白色光を出射するＬＥＤである。白色光を、カラー光の混合、蛍光変換(phosphor conversion)又は他の適切な技術によって生成することができる。一部の例において、異なる色を生成する及び／又は光の色調を異ならせることができるＬＥＤを有するのが望ましく、そのようなＬＥＤは適切に組み込まれる。光源１０は、上述したような任意のタイプのＬＥＤであってもよく、好適には、表面実装ＬＥＤであり、白熱電球、蛍光灯又は高輝度放電（ＨＩＤ）ランプを含むがそれに限定されない他の適切なタイプの光源としてもよい。
【００８４】
ライトカバー２０は、ここでは、ＬＥＤのカバーである。ライトカバー２０は、接触なく各光源１０を個別にカバーする、又は、複数の光源１０を同時にカバーする。他の実施の形態において、ライトカバー２０は、任意の一つ以上の光源１０をカバーするとともに接触してもよい。ライトカバー２０は、好適には、半透明であり、一部の場合においては、透明なプラスチックカバーであり、それは、光がプラスチックカバーを通過するときに光を散乱させる役割を果たす。ライトカバー２０は、取り外し自在であり、特定の角度の散乱、薄い色、シェード若しくは他の色歪み又はその任意の組合せを光源１０に提供するために異なる材料及び色を備えてもよい。他の実施の形態において、ライトカバー２０は、永久的に取り付けられる。
【００８５】
さらに、ライトカバー２０の各々は、少なくとも１８０°の円弧に沿って照明装置１から外側に光を出射できるように設計される。この理由は、光源１０がデバイスにおいて終端となる光源１０の上及び光源１０の各側面の上のエリアをカバーするようにライトカバー２０が一般的に形成されるからである。一部の例において、ライトカバー２０は、光源１０の終点を過ぎるように配置されてもよく、ここで説明する光源に対向する前面と同一の原理を用いて光源１０に対向する背面を可能にする。
【００８６】
ライトカバー２０は、好適には、（両）側面９０の長さに沿って配置されるが、ケース５５を十分に取り囲んでもよい。ライトカバー２０は、複数の個別のライトカバーの間でギャップ又はスペースによって断続的にしてもよい。好適な形態において、一つのライトレールは、他のライトレールより長い（図１０参照）。これは、典型的には装置の左側に配置されるスマートフォンのようなコンピュータデバイスの形態へのアクセスを提供する役割を果たす。
【００８７】
ライトカバー２０が照明装置１の上側エリア及び下側エリアと交差する場所において、ライトカバー２０から延在する固定機構７５が形成される。この固定機構７５を、少なくとも一つで最大で四つのコーナエリアに配置してもよい。好適な実施の形態において、少なくとも二つの固定機構７５が存在する。固定機構７５は、ライトカバー２０の上側から略垂直に延在するツメ又はエクステンションとして現れる。好適には、固定機構７５は、照明装置１の対向する端部及び対向する側に配置される。これによって、例えば、一方の固定機構を右上側に配置するとともに他方の固定機構を左下側に配置することができる。この差異は、二つの形態の固定機構の最も安定した配置を提供する。三つ以上の固定機構を用いることによって、追加の接触点が特定の配置の必要性より優位になるので、配置は重大でない。
【００８８】
コンピュータデバイスを凹所に押し込むと、固定機構７５はコンピュータデバイスの表面をスライドし、これによって、コンピュータデバイスの位置を固定するとともに保持する。コンピュータデバイスを取り出すために、ケース５５は、（コンピュータデバイスから離れるように）僅かに下側に曲げられ、これによって、固定機構７５は、コンピュータデバイスをカバーから引き抜き又は遠ざけ、その後、コンピュータデバイスが取り出される。
【００８９】
照明装置１の他の形態は、コンピュータデバイスの背面カメラに対する制限されない又は抑制されないアクセスを提供する孔１３５を有する。孔１３５の位置を、寸法、形状及び位置の幾つかに適合するように変えることができる。周辺光センサ１４５を、周辺光に応じて光源１０の強度を自動的に調整するために配置してもよい。充電ポート８５によって、充電式電源である電源３０（図１参照）の充電を可能にし、充電ポート８５を、照明装置それ自体の中に配置してもよい。
【００９０】
さらに、照明装置１は、少なくとも一つの押圧式又はタッチセンサー式のボタン８０を備えてもよい。好適な実施の形態において、このボタンは、照明装置１の背面１１５に配置される。タッチセンサー式のボタン８０は、光源１０の点灯状態を制御する。これは、光源１０のオン又はオフの切替及び必要に応じた光源１０の光を弱める又は強める作用を含む。
【００９１】
光源１０の光を弱める又は強めるために、ボタンエリアに圧力を加え続ける又は指を置いたままにする。この動作によって、光源１０は、ボタンが関与しなくなるまで光を弱める又は強める。ボタン８０の別の関与の結果、光源１０の電流設定に基づいて光を更に弱まる又は更に強める。
【００９２】
図９〜１２において、図７及び図８に示す実施の形態を、右側、左側、上面及び底面からそれぞれ示す。ここで、前面１１０、背面１１５、上面１０５、底面９５及び側面９０の相関関係から照明装置１の全体、形状及び構造が更に明らかになる。光源１０を一つの配置構造から示す。
【００９３】
ライトレールのエリアの間に切り欠き又は空所１５０が存在してもよく、そのような切り欠き又はスペース１５０は、コンピュータデバイスが一旦固定されるとコンピュータデバイスとの相互作用を可能にするために計画的に(strategically)配置される。図示したように、そのような切り欠き１５０を、ケースの上面、底面及び左側面の中間から上に沿って示す。これらの位置は、コンピュータデバイスすなわちスマートフォンのボタン及び他の相互作用形態の典型的な位置である。しかしながら、そのような切り欠き１５０の追加の配置、寸法及び形状を必要に応じて変えることができる。
【００９４】
図１２に示すように、充電ポート８５は、典型的には、照明装置１のボタンに配置されている。充電ポート８５を、充電ダウンストリームポート及び専用充電ポートの両方及び他の適切な充電技術を備えるユニバーサルシリアルポート（ＵＳＢ）のような従来既知のものを含む任意のタイプの適切なポートとしてもよい。ポートは、必要に応じて充電のために含まれる電源に操作的に結合されている。
【００９５】
図１３を参照すると、ライトカバー２０は、下から光源１０を露出するために部分的に除去されている。このような光源１０の配置及び個数は、無数のそのような配置の一つであり、一つのそのような配置の単なる表現を意図するものである。どのようにしてライトレールの一つ（本実施の形態の左ライトレール）が更に多くの光源１０を含むとともに他方のライトレール（本実施の形態の右ライトレール）よりも長くなるかを見ることもできる。他の実施の形態において、更に多くの光源１０を含む更に長いライトレール及び更に少ない光源を含む更に短いライトレールの形態を逆にしてもよい。理解できるように、各レールの光源の個数及び各レールの長さを、各レールの光源１０の任意の個数及び／又は配置を含むために所望に応じて変えてもよく、各レールの長さを、所望に応じて長くなる又は短くなるように変えてもよい。
【００９６】
図１４は、図１２の断面図で示すような本開示の繰り返し(iteration)を示す。図示したように、一般的には、コンピュータデバイスを受け入れる凹所６５を形成する役割を果たす前面１１０、背面１１５及び側面９０が存在する。側面１１０から出てくる又は上昇するのはライトカバー２０である。ライトカバー２０は、図示したように、一般的には逆“Ｕ”形状であるが、用いられる光源１０及び光源１０の拡散の選択に応じて、更に丸みを帯びた“Ｃ”形状又は他の形状となってもよい。
【００９７】
ライトカバー２０は、一般的には、前面１０のいずれかの側面、上面又は底面に沿って延在する単一のチャネルである。ライトカバー２０を、個別に配置してもよく、又は、境界の長さに沿って延在する連続的なカバーを形成するように互いに接続されてもよい。一部の実施の形態において、ライトカバー２０を、背面１１５に沿って位置決めするために位置付けしてもよい。ライトカバー２０は、上述したように、光を散乱させるように構成される。そのような散乱は、ライトカバー２０の所定の材料、構造、パターン等又はその任意の組合せを用いることによって生じうる。例えば、高密度材料は、典型的には、光の散乱に有効であり、そのような材料は、更に多くの光源とともに必要となり得る。
【００９８】
内部において、プリント回路基板（ＰＣＢ）１６０を、それに結合されている充電式電源３０と共に示す。配線のような電源コネクタ４０は、光源１０を電源に結合する。押圧ボタン８０は、光源のオン／オフの切替及び光源１０の光出力を変えることを含む光源１０の点灯状態を変えるように機能することができる。
【００９９】
図１５において、取り外し自在に結合されているコンピュータデバイス１００を有する照明装置１を斜視図で示す。コンピュータデバイス１００は、表示スクリーン１３０と、前面カメラ１２０と、コンピュータデバイス制御装置１５５と、明示的に名前を付けない他の形態と、を有する。光源１０及びライトカバー２０からの散乱光によってコンピュータデバイスを部分的に包囲することによって、本発明は、対象への均一かつ調和した(consistent)照明を可能にし、これによって、ここで更に説明するような静止画像及び時間変化する画像の望ましい取得を行う。
【０１００】
さらに、図１５に示すように、光源１０は、互いに等距離に配置される。これらの光源１０の間の間隔又はギャップは、変化してもよいが、好適には、約０．１インチから約０．２インチであり、更に好適には、約０．２５インチである。ギャップ又は間隔は、一方の光源の配置を終了するとともに他方の光源の配置を開始するエリアとして規定される。光源１０は、各ライトを互いに操作的に結合するストリップに存在してもよく、そうでない場合には、上述したようなプリント回路基板の上に直接存在してもよい。他の機能的な実現が用いられてもよく、本発明の範囲においてカバーされる。
【０１０１】
一部の場合において、図７〜１４で説明した一般的な概念は、背面カメラと共に用いることができる。そのような実施の形態において、光源及びライトカバーを含むライトレールの位置付けは、前面の代わりに背面である。凹所、固定機構、孔等は、前面の実現と同一の位置付けのままである。一部の実施の形態において、ここで説明するような光源及びライトカバーを含む前面ライトレール及び背面ライトレールが存在する。そのような実施の形態において、光源（前面及び後面）を、独立して制御できるようにしてもよく、したがって、背面光源を、必要に応じてオン／オフに切り替えることができ、同一の機能が前面光源によって生じることができる。
【０１０２】
上述したように、一連のコンピュータアプリケーション又はプログラムがここで開示した照明装置に伴って生じることは、図面に記載しているように、本発明の範囲内である。これらのアプリケーションは、照明装置の使用を簡単にすることができ、他の一部のアプリケーションの使用を支援することが安全であり、良好に制御され、かつ、最適化されることを保証する。しかしながら、これは必須ではなく、実際には、独立した実施の形態として本発明を実施するのがより実用的であることに留意されたい。これは、照明装置１の十分な制御をユーザに与える。ユーザは、必要に応じて照明装置１をコンピュータデバイスに結合することができる。
【０１０３】
一旦コンピュータデバイス１００に結合されると、ユーザは、照明装置１それ自体に組み込まれた制御装置、スイッチ等を用いることによって光源の強度又は他の任意の特性を変えることができる。さらに、この独立した使用は、ケース５５の中に含まれる充電式電源によって向上する。したがって、電源を、コンピュータデバイス１００に再充電する必要もコンピュータデバイスの電源からの充電を行う必要もなく必要に応じて再充電することができる。
【０１０４】
次に、図１６Ａ〜図２４Ｆを参照し、照明装置１の他の実施の形態を説明する。これらの実施の形態を十分に説明する必要がないことに留意されたい。その理由は、そのような説明が上述した実施の形態で行われたからである。特に、実施の形態のいずれかの説明は、説明の間に矛盾がない限り他の実施の形態に含まれると考えるべきである。
【０１０５】
上述したように、図７〜１４で説明した一般的な概念を、背面カメラを用いることによって用いることができる。また、一部の実施の形態において、光源及びライトカバーを含む前面ライトレール及び背面ライトレールが存在する。図１６Ａ〜１６Ｄは、光源１０，２１０及びライトカバー２０，２２０をそれぞれ含む前面ライトレール及び背面ライトレールの両方を有するケース５５の一例を示し、それを、前面カメラ及び背面カメラの両方を用いることによって用いることができる。光源１０，２１０のタイプ、配置、形態、位置及び個数は、無数のそのような配置の一つであり、一つのそのような配置の単なる表現を意図するものである。理解できるように、各レールの光源１０，２１０の個数及び各レールの長さは、各レールの光源１０，２１０のあらゆるタイプ、形態、位置、個数及び／又は配置を含むために所望に応じて変わってもよく、各レールの長さは、所望に応じて更に長く又は更に短くなるように変わってもよい。
【０１０６】
図１６Ａ〜１６Ｆを参照すると、前面ライトレール及び背面ライトレールを有するケース５５の実施の形態を示す。特に、図１６Ａ〜１６Ｃは、（光源１０及びライトカバー２０を含む）前面ライトレール及び（光源２１０及びライトカバー２２０を含む）背面ライトレールを有するケース５５の背面図、前面図及び斜視図を示す。図１６Ｄ及び図１６Ｅは、前面ライトレール及び背面ライトレールの種々の配置例による図１６Ａのライン１６Ｄ−１６Ｄに沿ったケース５５の断面図を示す。図１６Ｆは、図１６Ｂのライン１６Ｆ−１６Ｆに沿ったケース５５の断面図であり、ケース５５の構成要素の電気的な接続を示す。
【０１０７】
照明装置１は、ケース５５の形態をとり、取り付けられているハンドヘルドコンピュータデバイス１００なしで示されている。一般的には、実施の形態は、前面１１０、背面１１５、上面１０５、底面９５及び少なくとも二つの側面９０を有する。ケース５５は、コンピュータデバイス１００の背面カメラに対する制限されない又は抑制されないアクセスを提供する孔１３５を有する。各背面ライトレールは、ライトカバー２２０を有する光源２１０を含み、ライトカバー２２０は、各光源２１０に個別に配置されている。各前面ライトレールは、ライトカバー２０を有する光源１０を含み、ライトカバー２０は、各光源１０に個別に配置されている。
【０１０８】
光源２１０は、光源２１０がケース５５の背面１１５に配置されている点を除いて光源１０と同一であってもよい。ライトカバー２２０は、ライトカバー２０と同様に、光を散乱するように構成されている。ライトカバー２２０は、ライトカバー２２０が背面光源２１０の上に配置されている点を除いてライトカバー２０と同一であってもよい。一部の例において、光源１０及び２１０は、同一の光特性（例えば、同一色の生成）を有してもよい。一部の例において、光源１０及び２１０は、異なる光特性（例えば、異なる色及び／又は異なる光の色調の生成）を有してもよい。一部の例において、ライトカバー２０及び２２０は、同一の特性（例えば、同一の材料、同一の色、同一の色合い）を有してもよい。一部の例において、ライトカバー２０及び２２０は、異なる特性（例えば、異なる材料、異なる色、異なる色合い）を有してもよい。一部の例において、背面ライトレール（光源２１０及びライトカバー２２０）を、例えば、前面カメラによって撮影された「自撮りの写真」よりも背面カメラによって取得した人々のグループの画像の方がよくなるように、前面レール（光源１０及びライトカバー２０）より多くの光及び／又は散乱を提供するように構成してもよい。
【０１０９】
一部の例において、前面光源１０及び背面光源２１０を、例えば、タッチセンサー式のボタン８０によって独立して制御してもよい。したがって、背面光源２１０を必要に応じてオン／オフに切り替えてもよく、ケース５５によって、前面光源１０に対してここで説明したのと同一の機能が背面光源２１０に対して生じることができる。
【０１１０】
図１６Ａ〜１６Ｅにおいて、光源１０，２１０（及び各ライトカバー２０，２２０）を、（両方の）側面９０の長さに沿って配置されているものとして示す。一部の例において、光源１０，２１０（及び各ライトカバー２０，２２０）は、ケース５５を十分に取り囲んでいる。一部の例において、光源１０，２１０（及び各ライトカバー２０，２２０）を、（図１に示すように）上部１０５の長さに沿って配置してもよい又はケース５５の底部９５の長さに沿って配置してもよい。
【０１１１】
一部の例において、ケース５５は、上述したように充電ポート８５を含んでもよい。一部の例において、ケース５５は、外部メモリスロット２２２を含んでもよい。メモリスロット２２２は、ハンドヘルドコンピュータデバイス１００のメモリカードインタフェースに対する抑制されないアクセスを提供してもよい。メモリスロット２２２は、セキュアデジタル（ＳＤ）メモリカードを含むがそれに限定されない従来既知の任意の適切な外部メモリカードを受け入れるのに適切であってもよい。
【０１１２】
図１６Ｄ及び図１６Ｅを参照すると、前面光源１０及び背面光源２１０の二つの例示的な配置を示す。図１６Ｄ及び図１６Ｅは、光源２１０に対する前面ライトカバー２１０の配置も示す。便宜上、ライトカバー２０を図１６Ｄ及び図１６Ｅに示さない。図１６Ｄにおいて、前面光源１０及び背面光源２１０を、光源１０，２１０が（ＰＣＢ２６０を超えて）互いに整列するようにＰＣＢ２６０に配置される。図１６Ｅにおいて、前面光源１０及び背面光源２１０を、光源１０，２１０が（ＰＣＢ２６０を超えて）ずらした配置になるように（すなわち、整列しないように）ＰＣＢ２６０に配置される。図１６Ｄ及び図１６Ｅが前面光源配置及び背面光源配置の例を表すとともに他の配置が可能であることを理解すべきである。
【０１１３】
図１６Ｆは、図１６Ｂに示すケース５５（及び図１７Ｂに示すケース）の構成要素の一部の電気接続配置の例を表す。図示したように、コンピュータデバイス１００を受け入れる凹所を形成する役割を果たす前面１１０、背面１１５及び側面９０が存在する。前面１１０からの出てくる又は上昇するのはライトカバー２０である。背面１１５から出てくるのは背面ライトカバー２２０である。
【０１１４】
内部において、ＰＣＢ２６０を、それに結合されている充電式電源３０と共に示す。配線のような電源コネクタ４０は、前面光源１０及び背面光源２１０を電源３０に結合する。押圧ボタン８０は、（前面光源１０及び背面光源２１０の独立した制御を含む）光源１０，２１０のオン／オフの切替及び光源１０，２１０の光出力を変えることを含むがそれに限定されない光源１０，２１０の点灯状態を変えるように機能することができる。
【０１１５】
図１７Ａ〜１７Ｄを参照すると、前面ライトレール及び背面ライトレールを有するケース５５の他の実施の形態を示す。特に、図１７Ａ及び図１７Ｂは、（光源１０及びライトカバー２０を含む）前面ライトレール及び（光源２１０及びライトカバー２２０を含む）背面ライトレールを有するケース５５の背面図及び前面図を示す。図１７Ｃ及び図１７Ｄは、前面ライトレール及び背面ライトレールの種々の配置例による図１７Ａのライン１７Ｃ−１７Ｃに沿ったケース５５の断面図を示す。便宜上、ライトカバー２０を図１７Ｃ及び図１７Ｄに示さない。
【０１１６】
図１７Ａ〜１７Ｄに示すケース５５は、ライトカバー２２０の形態が図１６Ａ〜１６Ｅに示すライトカバー２２０と異なる点を除いて図１６Ａ〜１６Ｅに示すケース５５と同一である。図１７Ａ〜１７Ｄにおいて、背面ライトカバー２２０は、二つ以上の光源をカバーしてもよい。例えば、ライトカバー２２０は、各背面ライトレールの全ての光源２２０を同時にカバーすることができる（ライトカバー２０について上述したような）連続的な「ライトストリップ」又は「ライトパイプ」の形態をとってもよい。
【０１１７】
上述したように、光源１０（２１０）を、安全な取付を許容する任意の手段によってケース５５に取り付けてもよく、光源２０（２１０）がハンドヘルドコンピュータデバイス１００の前面１１０に略垂直でない方向を照明できるように設計してもよい。図１８Ａ〜１９Ｄは、ケース５５における光源１０の種々の取付位置を示す。図１８Ａ〜図１９Ｂは、側面光源１０の例を示す。図１９Ｃ及び図１９Ｄは、前面光源１０の例を示す。図１８Ａ〜１９Ｄが前面ライトレールの例を示すが、例示の設計は背面ライトレール及び前面ライトレールと背面ライトレールの組合せにも適用できることを理解すべきである。
【０１１８】
特に、図１８Ａは、下に存在する光源が露出するように取り除いた（光源２０を含む）部分を有する前面１１０からのケース５５の断面図である。図１８Ｂは、図１８Ａに示すケース５５のライン１８Ｂ−１８Ｂに沿った断面図である。図１８Ｃは、図１８Ｂに示す部分１８Ｃの断面図である。図１９Ａは、（ライトカバー２０を含む）部分を有する図１８Ａに示すケース５５のライン１８Ｂ−１８Ｂに沿った断面図である。図１９Ｂは、図１９Ａに示す部分１９Ｂの断面図である。図１９Ｃは、（図１３に示すような）他のケース５５の底面からの断面図である。図１９Ｄは、図１９Ｃに示す部分１９Ｄの断面図である。
【０１１９】
図１８Ａ〜１８Ｃに示すように、ケース５５は、ＰＣＢ１６１に取り付けられた光源１０を含んでもよい。各ＰＣＢ１６１を、ＰＣＢ１６１が前面１１０に垂直に延在するように（背面１１５への取付を介して）側面９０に平行にケース５５に取り付ける。光源１０を、光源１０が（出射方向において）側面９０に対向するように各ＰＣＢ１６１に取り付けてもよく、これによって、側面に対向する光源１０を形成する。図１９Ａ及び図１９Ｂに示すように、光源１０からの光２２４を、ケース５５の前面１１０に略垂直でない方向に（一つ以上の）ライトカバー２０を介して出射してもよい。
【０１２０】
それに対し、図１９Ｃ及び図１９Ｄにおいて、光源１０をＰＣＢ１６３に取り付けてもよい。各ＰＣＢ１６３を、ＰＣＢ１６３が前面１１０に平行に延在するように（側面９０への取付を介して）側面９０に平行にケース５５に取り付けてもよい。光源１０を、光源１０が（出射方向において）側面１１０に対向するように各ＰＣＢ１６１に取り付けてもよく、これによって、側面に対向する光源１０を形成する。図１９Ｃ及び図１９Ｄに示すように、光源１０からの光２２６を、ケース５５の前面１１０に略垂直な方向に（一つ以上の）ライトカバー２０を介して出射してもよい。
【０１２１】
図１９Ｂに示すように光源により（前面１１０に対して）垂直から離れる方向に光２２４を生成することができるようにすることに加えて、（図１９Ａ及び図１９Ｂに示す）側面に対向する光源によって、ケース５５を、図１９Ｃに示すケース５５より更にコンパクトな（側面９０の間の）幅形状で形成することができる。その理由は、ＰＣＢ１６１が前面１１０に対して垂直な配置となるからである。
【０１２２】
上述したように、ケース５５は、ハンドヘルドコンピュータデバイス１００の内部電源とは分離している電源３０を含んでもよい。次に、図２０Ａ及び図２０Ｂを参照しながら電源３０を有するケース５５の例を説明する。特に、図２０Ａ及び図２０Ｂは、種々の実施の形態による背面１１５からのケース５５の斜視図である。図２０Ａ及び図２０Ｂにおいて、照明装置１への給電の態様の説明の便宜上、ケース５５に結合されたハンドヘルドコンピュータデバイス１００のないケース５５を示す。図２０Ａ及び図２０Ｂはケース５５及び電源３０の位置及び配置についての例示的な実施の形態を表すことを理解されたい。電源３０を他の位置に配置してもよい。
【０１２３】
図２０Ａを参照すると、ケース５５は、ケース５５の（図示しない）チャンバに配置されるとともにケース５５の背面１１５に取り付けられたカバー２４２によって固定された（バッテリ３０とも称する）電源３０を含んでもよい。ケース５５は、押圧式又はタッチセンサー式の点灯ボタン２４２と、押圧式又はタッチセンサー式の充電ボタン２４４と、充電ポート２４８と、放電ポート２５０と、を含んでもよい。一部の例において、ケースは、充電インディケータ２４６を含んでもよい。一部の例において、ケース５５は、外部メモリスロット２２２を含んでもよい。一部の例において、ケースは、充電センサ２５２を含んでもよい。
【０１２４】
一部の例において、バッテリ３０は、ケース５５に永久的に固定されてもよい。一部の例において、バッテリ３０は、ケース５５に取り外し自在に配置されてもよい。上述したように、一部の例において、バッテリ３０を、使い捨て電池、充電式電池又はソーラーのような他の任意の電源としてもよい。
【０１２５】
バッテリ３０は、光源１０に電力を供給してもよい。バッテリ３０は、ハンドヘルドコンピュータデバイス１００に対するバックアップ電源としての役割を果たしてもよい。例えば、（図１に示すドック６０等を介して）制御回路及び電気的な接続を用いることによって、バッテリ３０を、ハンドヘルドコンピュータデバイス１００にエネルギーを直接供給するのに用いてもよく、これによって、全体的なバッテリ寿命が長くなる。バッテリ３０が再充電可能であるとき、ハンドヘルドコンピュータデバイス１００も再充電可能であり、これによって、照明装置１及びハンドヘルドコンピュータデバイス１００の両方に対する給電の簡便な解決が可能になる。
【０１２６】
一部の例において、ケース５５は、光源１０の点灯状態（例えば、電源１０のオン又はオフの切替、光源１０の光出力、視野角、色、照明パターンを変えること）を制御する押圧式又はタッチセンサー式ボタン２４２を含んでもよい。ボタン２４２の機能は、上述したタッチセンサー式ボタン８０及び／又は照明装置スイッチ７０と同様であってもよい。
【０１２７】
一部の例において、ケース５５は、電源３０によるハンドヘルドコンピュータデバイス１００の内部電源の充電を制御する押圧式又はタッチセンサー式ボタン２４４を含んでもよい。一部の例において、ボタン２４４は、放電ポート２５０を介した電源による外部装置の充電を制御してもよい。例えば、押圧式又はタッチセンサー式ボタン２４４は、充電ポート２４８を介したバッテリ３０の充電、充電ポート２４８を介したハンドヘルドコンピュータデバイス１００の内部電源の充電、バッテリ３０を介したハンドヘルドコンピュータデバイス１００の内部電源の充電、放電ポート２５０を介した外部ポートへの給電のためのバッテリ３０の放電及びバッテリ３０の放電／充電の停止のような予め設定された動作状態を繰り返してもよい。一部の例において、ボタン２４４の機能をボタン２４２の機能に組み込んで単一の押圧式又はタッチセンサー式ボタンとしてもよい。
【０１２８】
一部の例において、ケース５５は、充電バーのような充電インディケータ２４６を含んでもよい。充電インディケータ２４６は、電源３０のバッテリ寿命を測定するバッテリメータを含んでもよく、残りのバッテリ寿命を表してもよい。充電インディケータ２４６は、必要なときに電池を交換する又はバッテリ３０を再充電するようユーザに表示してもよい。
【０１２９】
一部の例において、ケース５５は、電源３０及びハンドヘルドコンピュータデバイス１００の内部電源に操作的に結合することができる専用の充電ポート２４８を含んでもよい。充電ポート２４８は、電源３０及びハンドヘルドコンピュータデバイス１００の内部電源に対して備えたＵＳＢポートのような従来既知のものを含む任意のタイプの適切なポートであってもよい。一部の例において、ケース５５を、（誘導充電とも称される）ワイヤレス充電が行われるように構成してもよい。例えば、ケース５５の充電ポート２４８は、ワイヤレス充電パッド（それに限定されない）を含む（それ自体の誘導コイルを有する）充電所に誘導的に結合されるように構成されている（誘導コイルを有する）誘導充電器を含んでもよい。誘導充電器及び充電所の誘導コイルを、交流電磁場を生じさせるために誘導的に結合してもよい。交流電磁界をケース５５の誘導充電器によって電流に変換して電源３０を充電してもよい。一部の例において、誘導充電器は、共振誘導結合を用いてもよい。一部の例において、充電ポート２４８は、ＵＳＢ充電ポートに加えて誘導充電器を含んでもよい。
【０１３０】
一部の例において、ケース５５は、電源３０に操作的に結合してもよい（充電ポート２４８から分離した）専用の放電ポート２５０を含んでもよい。放電ポート２５０は、電源３０を介してダウンストリームポート（例えば、外部装置）に充電を行うＵＳＢポートのような従来既知のものを含む任意のタイプの適切なポートであってもよい。
【０１３１】
一部の例において、ケース５５は、電源３０及びハンドヘルドコンピュータデバイス１００の内部電源の充電を制御する充電センサ２５２を含んでもよい。例えば、充電センサ２５２は、電源３０及びハンドヘルドコンピュータデバイス１００の内部電源の各々の残りのバッテリ寿命を測定するための任意の回路及び電気的な接続を含んでもよい。測定された残りのバッテリ寿命に応じて、充電センサ２５２は、（電源３０の充電より上であるコンピュータデバイスの充電の優先度のような）一つ以上の予め決定された条件に基づいて電源３０又は内部電源の一つ以上の間の充電ポート２４８を介して受信したエネルギーの分配を行ってもよい。例えば、充電センサ２５２によって、電源３０は、内部バッテリの残りの寿命が８０％より上であるときにエネルギーを受け取ることができる。それに対し、充電センサ２５２は、内部バッテリの残りの寿命が２０％のような内部バッテリの残りの寿命が所定のパーセンテージ未満であるときに内部バッテリにエネルギーを分配してもよい。電源３０及び内部電源の充電の一つ以上の予め決定された条件を、照明装置１によって予め設定してもよい及び／又はユーザによって選択してもよい。
【０１３２】
図２０Ｂを参照すると、ケース５５は、ケース５５の（図示しない）チャンバに配置されるとともにケース５５の背面１１５に取り付けられたカバー２４２によって固定された（バッテリ３０とも称する）電源３０を含んでもよい。ケース５５は、押圧式又はタッチセンサー式点灯ボタン２４２と、押圧式又はタッチセンサー式充電ボタン２４４と、充電／放電ポート２５４を含んでもよい。一部の例において、ケースは、充電インディケータ２４６を含んでもよい。一部の例において、ケース５５は、外部メモリスロット２２２を含んでもよい。一部の例において、ケースは、充電センサ２５２を含んでもよい。
【０１３３】
図２０Ｂに示すケース５５は、図２０Ｂに示すケース５５が個別の専用の充電ポート２４８及び放電ポート２５０の代わりに充電／放電ポート２５４を含む点を除いて図２０Ａに示すケース５５と同一である。充電／放電ポート２５４は、電源３０及びハンドヘルドコンピュータデバイス１００の内部電源の両方を充電するとともに電源３０を介してダウンストリームポートを充電してもよい。充電／放電ポート２５４は、ユニバーサルシリアルバス（ＵＳＢ）ポート及び／又は（ワイヤレス充電のための）誘導充電器のような従来既知のものを含む任意のタイプの適切なポートであってもよい。一部の例において、ケース５５は、ＵＳＢタイプの充電／放電ポートに加えて誘導充電器を含んでもよい。
【０１３４】
ケース５５を、外部メモリスロット２２２を含むものとして図２０Ａ及び図２０Ｂに示すが、これらは実施の形態の例示を表す。一部の例において、ケース５５は、外部メモリスロット２２２を含まなくてもよい。図２０Ａ及び図２０Ｂに示すケース５５が（一つ以上の）光源２１０及び（一つ以上の）ライトカバー２２０を含まないとしても、これらは実施の形態の例示を示す。一部の例において、ケースは、例えば、図１６Ａ〜１７Ｄに示すような（一つ以上の）光源２１０及び（一つ以上の）ライトカバー２２０を含んでもよい。
【０１３５】
上述したように、ケース５５は、ワンピース構造であってもよい又ハンドヘルドコンピュータデバイス１００をケース５５にしっかり取り付けるマルチピース設計を有してもよい。次に、図２１Ａ〜２４Ｆを参照しながらツーピース構造として構成されたケース５５の実施の形態を説明する。図２１Ａ〜２４Ｆにおいて、ツーピースケース設計の操作の説明の便宜上、ケース５５に結合されたハンドヘルドコンピュータデバイス１００のないケース５５を示す。
【０１３６】
ケース５５のツーピース構造の例を、上述したように同一の材料から構成してもよい。ツーピースケースのセクションを、最適な保護及び感触を保証するために同一の材料又は異なる材料から形成してもよい。ツーピースケースの各セクションを、同一の材料又は二つ以上の材料の組合せから形成してもよい。図２１Ａ〜２４Ｆはツーピースケース設計の例を記載しており、本発明はこれらの例に限定されないことを理解すべきである。ハンドヘルドコンピュータデバイス１００を、予め位置決めされたねじ、面ファスナー、リベット付け又は安定した取付を可能にする他の任意の種類の機構のような他の手段によってケース５５に固定することができる。一部の例において、ケース５５は、ハンドヘルドコンピュータデバイス１００に取り外し自在に取り付けられ、これによって、高いレベルの柔軟性で簡単な取外しが可能となる。一部の例において、ケース５５を、例えば、ハンドヘルドコンピュータデバイス１００と照明装置１との間の高レベルの統合を行うためにハンドヘルドコンピュータデバイス１００に永久的に固定してもよい。ツーピースケースの設計を示すが、ケース５５が三つ以上の構造を有するケースを含む任意の適切なマルチピース設計を含んでもよい。
【０１３７】
（一つ以上の）光源２１０及び（一つ以上の）ライトカバー２２０を含まないケース５５を図２１Ａ〜２１Ｆに示すが、これらは、例示的な実施の形態を表す。一部の例において、ケースは、例えば、図１６Ａ〜１７Ｄに示すような（一つ以上の）光源２１０及び（一つ以上の）ライトカバー２１０も含んでもよい。
【０１３８】
図２１Ａ〜２１Ｆは、予め位置決めされた凹所２６６に適合する予め位置決めされた突起２６２を有するツーピースケース５５の例を示す。特に、図２１Ａは、背面１１５に関するケース５５の背面図である。図２１Ｂは、側面９０に関するケース５５の右側面図である。図２１Ｃは、背面１１５に関するケース５５の分解背面図である。図２１Ｄは、側面９０に関するケース５５の分解右側面図である。図２１Ｅは、ケース５５の前面１１０に関する斜視図である。図２１Ｆは、前面１１０に関するケース５５の分解斜視図である。
【０１３９】
ケース５５は、第１のセクション２６０と、第２のセクション２６４と、を含んでもよい。第１のセクション２６０は、底面にある一つ以上の予め位置決めされた突起２６２を含んでもよい。第２のセクション２６４は、（一つ以上の）突起２６２のそれぞれに整列するように構成された上面にある一つ以上の予め位置決めされた凹所２６６を含んでもよい。第１のセクション２６０を、（図２１Ｃ及び図２１Ｆに示すように）突起２６２を凹所２６６に整列して機械的に結合することによって第２のセクション２６４に取り付けてもよい。第１のセクション２６０を、突起２６２を凹所２６６から切り離すことによって第２のセクション２６４から取り外してもよい。操作中、例えば、ハンドヘルドコンピュータデバイス１００を、第２のセクション２６４の前面１１０に結合してもよい。次に、第１のセクション２６０を第２のセクション２６４に整列して結合してもよく、これによって、ハンドヘルドコンピュータデバイス１００をケース５５に固定する。
【０１４０】
図２２Ａ〜２２Ｆは、予め位置決めされた凹所２７６に適合する予め位置決めされた突起２７２を有するツーピースケース５５の例を示す。特に、図２２Ａは、前面１１０に関するケース５５の前面図である。図２２Ｂは、側面９０に関するケース５５の右側面図である。図２２Ｃは、前面１１０に関するケース５５の分解前面図である。図２２Ｄは、側面１１０に関するケース５５の斜視図である。図２２Ｅは、前面１１０に関するケース５５の分解斜視図である。
【０１４１】
ケース５５は、第１のセクション２７０と、第２のセクション２７４と、を含んでもよい。第１のセクション２７０は、（背面１１５に対応する）背面から延在する一つ以上の予め位置決めされた突起２７２を含んでもよい。第２のセクション２７４は、第１のセクション２７０が第２のセクション２７７４の一部２７５に重なり合うよう（一つ以上の）突起２７２のそれぞれに整列するように構成された前面１１０にある一つ以上の予め位置決めされた凹所２７６を含んでもよい。第１のセクション２７０は、第２のセクション２７４にある孔１３５に整列するように構成された孔１３５’を含んでもよい。第１のセクション２７０を、（図２２Ｅに示すように）突起２７２を凹所２７６に整列して機械的に結合することによって第２のセクション２７４に取り付けてもよい。第１のセクション２７０を、突起２７２を凹所２７６から切り離すことによって第２のセクション２７４から取り外してもよい。操作中、例えば、第１のセクション２７０を第２のセクション２７４に整列して結合してもよい。次に、ハンドヘルドコンピュータデバイス１００をケース５５の前面１１０に結合してもよく、これによって、ハンドヘルドコンピュータデバイス１００をケース５５に固定する。
【０１４２】
図２３Ａ〜２３Ｆは、予め位置決めされたくぼみ２８６にスライド可能に適合する予め位置決めされたツメ２８２を有するツーピースケース６６の例を示す。特に、図２３Ａは、前面１１０に関するケース５５の前面図である。図２３Ｂは、側面９０に関するケース５５の右側面図である。図２３Ｃは、側面９０に関するケース５５の左側面図である。図２３Ｄは、前面１１０に関するケース５５の分解前面図である。図２３Ｅは、側面９０に関するケース５５の分解右側面図である。図２３Ｆは、ケース５５の前面１１０からの分解斜視図である。
【０１４３】
ケース５５は、第１のセクション２８０と、第２のセクション２８４と、を含んでもよい。第１のセクション２８０は、底面から延在する予め位置決めされたツメ２８２を含んでもよい。第２のセクション２８４は、ツメ２８２に整列するように構成された上面にある予め位置決めされたくぼみ２８６を含んでもよい。図２３Ａ〜２３Ｃに示すように、くぼみ２８６は、第１の側面９０（例えば、右側面）から第２のセクション２８４の部分を通じて第２の側面９０（例えば、左側面）に向かうように延在するとともに第２の側面を延在しないようにしてもよい（図２３Ｃ参照）。第１のセクション２８０を、（図２３Ｄ及び図２８Ｆに示すように）ツメ２８２をスライドしてくぼみ２８６に適合させることによって第２のセクション２８４に取り付けてもよい。第２のセクション２８０を、ツメ２８２をスライドしてくぼみ２８６から取り外すことによって第２のセクション２８４からスライドして取り外してもよい。くぼみ２８６が十分に第１の側面９０から第２の側面９０に延在していないので、ツメ２８２の端部２８３がくぼみ端部２８７に到達すると、第１のセクション２８０をくぼみ２８６において十分に位置決めすることができる。操作中、例えば、第１のセクション２８０を第２のセクション２８４に整列するとともにスライドして適合させてもよい。次に、ハンドヘルドコンピュータデバイス１００をケース５５の前面１１０に結合してもよく、これによって、ハンドヘルドコンピュータデバイス１００をケース５５に固定する。
【０１４４】
図２４Ａ〜２４Ｆは、第２のセクション２９４に回転自在に結合されている第１のセクションを有するツーピースケース６６の例を示す。特に、図２４Ａは、閉じた状態の前面１１０に関するケース５５の前面図である。図２４Ｂは、閉じた状態の側面９０に関するケース５５の右側面図である。図２４Ｃは、開いた状態の前面１１０に関するケース５５の前面図である。図２４Ｄは、開いた状態のケース５５の左側に関する前面１１０からのケース５５の分解図である。図２４Ｅは、前面１１０からのケース５５の斜視図である。図２４Ｆは、開いた状態のケース５５の右側に関する前面１１０からのケース５５の他の斜視図である。
【０１４５】
ケース５５は、第１のセクション２９０と、第２のセクション２９４と、を含んでもよい。第１のセクション２９０は、第２のセクション２９４に向かって延在する一つ以上の予め位置決めされた突起２９２を含んでもよい。第１のセクション２９０を、ピン２９３により第２のセクション２９４に回転自在に結合してもよい。第２のセクション２９４は、（一つ以上の）突起２９２の各々に整列されるように構成された第１のセクション２９０に向けて配置されている一つ以上の予め位置決めされた凹所２９６を含んでもよい。第１のセクション２９０を、（図２４Ｃ〜２４Ｆに示すように）ピン２９３を中心にして第２のセクション２９４に向かうように第１のセクション２９０を回転して突起２９２を凹所２９６に機械的に結合することによって第２のセクション２９４に取り付けてもよい。第１のセクション２９０を、突起２９２を凹所２９６から分離することによって第２のセクション２９４から回転して取り外してもよい。操作中、例えば、ハンドヘルドコンピュータデバイス１００を、第２のセクション２６４の前面１１０に結合してもよく、第１のセクション２９０は、第２のセクション２９４の凹所２９６から回転して取り外される。次に、第１のセクション２９０を回転して第２のセクション２９４に結合してもよく、これによって、ハンドヘルドコンピュータデバイス１００をケース５５に固定する。
【０１４６】
一部の実施の形態において、照明装置は、コンピュータデバイスを落下、振動等から保護するように設計される衝撃吸収形態を実現してもよい。他の実施の形態において、ガラス又はアクリルのようなカバーを、コンピュータデバイスのディスプレイに対する同様な悪影響を防止するためにコンピュータデバイスのディスプレイに重ねる。更に別の実施の形態において、光源は、緊急事態が生じていることを知らせる又は他人の注目を集めるためのフラッシュ、ストロボ等を用いてもよい。他の実施の形態において、使用に柔軟性を持たせるために「自撮り棒」を照明装置に結合してもよい。一部の実施の形態において、照明装置は、現金、クレジットカード、デビットカード等のためのスロットを有してもよい。さらに、他の実施の形態において、必要に応じてバッテリ寿命を延長するとともに信号品質を向上させることができる一体型バッテリ及び／又は信号ブースタが存在してもよい。
【０１４７】
上述したように、一連のコンピュータアプリケーション又はプログラムがここで開示した照明装置に伴って生じることは本発明の範囲内である。これらのアプリケーションは、照明装置の使用を簡単にすることができ、他の一部のアプリケーションの使用を支援することが安全であり、良好に制御され、かつ、最適化されることを保証する。
【０１４８】
例えば、照明装置がコンピュータデバイスと十分に接続及び協働されているとき、プログラムを、光源の光度、視野角、色及び照明パターンを調整するために照明装置の光源を特別に制御するために用いてもよい。ハンドヘルドコンピュータデバイスのユーザは、単に一般的な照明を行うために照明装置をオンに切り替えてもよい。ハンドヘルドコンピュータデバイスを、そのような状況において、暗所の懐中電灯として用いてもよい。照明装置に周辺光センサを取り付けると、上述したように、周辺光の状態に基づいて光源の光度を自動的に調整するプログラムを有することができる。
【０１４９】
他の例は、照明装置の使用を特別に統合するビデオ通話プログラムである。ユーザが自身の画像を送信する前に、ユーザは、最適な結果を得るために表示スクリーン上の画像を見てもよい。プログラムは、カメラと照明装置の両方を制御してもよく、これによって、カメラを制御する他のプログラムに切り替えることなく簡単に調整を行うことができる。プログラムは、画像を最適にするためにユーザを助ける所定の基準を設定することによってこのプロセスを容易にする。例えば、プログラムは、一般的な人間の顔の破線輪郭をスクリーンに表示してもよく、その間、ハンドヘルドコンピュータデバイスのユーザは、ユーザの顔の画像を破線輪郭に適合させるためにデバイスに対するユーザの距離及び／又はズームを調整するとともに前方カメラの焦点を合わせてもよく、これによって最適な結果が達成される。この設計の僅かな変更は、一般的な目の輪郭を表示することであり、これによって、ユーザは、ユーザの画像が輪郭に整合するように調整することができる。また、プログラムは、照明装置をオンに切り替えること、照明装置を更に明るく若しくは暗くすること又は最適な画像のためのカメラのズーム及び／又は焦点の調整をユーザに促す示唆又は推奨を表示スクリーンに直接示してもよい。本質的には、照度をカメラの最適な焦点距離に従って調整してもよい。そのような基本的な設計は、他のプログラムにも適合すべきである。同様に、同一の機能を有する写真又はビデオ取得プログラムを、照明装置の使用を支援するためにインストールしてもよい。写真又はビデオ取得プログラムは、画質についての最適な結果を得るための照明装置の調整の際にユーザを支援する。
【０１５０】
他の例は、照明装置を前面カメラに統合する「化粧鏡」アプリケーションである。一部の場合において、ハンドヘルドコンピュータデバイスのユーザは、前面カメラによって取得されると同時に表示スクリーンに表示されるユーザ自身の画像を見ることを所望する。この場合、ユーザは、ユーザの外観を評価するとともに必要な調整を行うことができる。最適な結果を達成するために、「化粧鏡」アプリケーションによってユーザは照明装置の光源の光度、視野角、色及び照明パターンを制御することができ、又は、そのような形態を、周辺光センサが含まれ及び用いられるときにアプリケーションによって自動的に調整してもよい。取付部品の一部であってもよいフレームスタンド又はハンガー構造を組み合わせることによって、ユーザは、デバイスを実際に保持することなくハンドヘルドコンピュータデバイスを直立状態にセットすることができ、最適な操作のためにユーザの両手が自由になり、同時に、全プロセスが理想的な照明の下で実行される。
【０１５１】
上述したように、照明装置は、ハンドヘルドコンピュータデバイスの状態のインディケータ又は信号源としての役割を果たしてもよい。例えば、小型電話のハンドヘルドコンピュータデバイスに対する着呼があると、照明装置の光源は、点灯してもよい、又は、光の光度、視野角、色及び／又は照明パターンを変えてもよい。ライトはフラッシュを生成してもよい、又は、ライトのサブセクションを順にオンに切り替えてもよい。更に複雑な設定によって、スマートフォンのユーザは、照明装置に対する特定のプロファイル−光度、視野角、色及び／又は照明パターンの特定の組合せを確立及び管理することができる。ユーザは、種々の発呼側に整合するために異なるプロファイルを選択してもよい。そのようなアプリケーションは、着信音がスマートフォンに対して管理されるのと幾分同様な方法で照明装置を制御し、ユーザエクスペリエンスを更に充実させる。
【０１５２】
さらに、照明装置を照明装置が接続されるコンピュータデバイスに対するシグナルとして用いてもよいので、コンピュータデバイスによって用いられる他のプログラム又はアプリケーションを照明装置に統合することができる。例えば、所定のゲームをプレイするときに照明装置をセットアップすることができ、照明装置がオンに切り替えられ、光の光度、視野角、色及び／又は照明パターンがゲームの進行とともに変わる。同様な実現は音楽に対しても可能である。所定の光プロファイルをコンピュータデバイスの音楽プログラムに統合してもよく、これによって、例えば、音楽を再生するときにライトがリズミカルに点滅する。
【０１５３】
本発明をある程度特定して説明したが、本開示が例示によってのみ行われており、パーツの構造及び配置の詳細の幾多の変形を発明の精神及び範囲から逸脱することなく行ってもよいことを理解すべきである。
【図１】
0006588451.tif 000002
【図２】
0006588451.tif 000003
【図３】
0006588451.tif 000004
【図４】
0006588451.tif 000005
【図５】
0006588451.tif 000006
【図６】
0006588451.tif 000007
【図７】
0006588451.tif 000008
【図８】
0006588451.tif 000009
【図９】
0006588451.tif 000010
【図１０】
0006588451.tif 000011
【図１１】
0006588451.tif 000012
【図１２】
0006588451.tif 000013
【図１３】
0006588451.tif 000014
【図１４】
0006588451.tif 000015
【図１５】
0006588451.tif 000016
【図１６Ａ】
0006588451.tif 000017
【図１６Ｂ】
0006588451.tif 000018
【図１６Ｃ】
0006588451.tif 000019
【図１６Ｄ】
0006588451.tif 000020
【図１６Ｅ】
0006588451.tif 000021
【図１６Ｆ】
0006588451.tif 000022
【図１７Ａ】
0006588451.tif 000023
【図１７Ｂ】
0006588451.tif 000024
【図１７Ｃ】
0006588451.tif 000025
【図１７Ｄ】
0006588451.tif 000026
【図１８Ａ】
0006588451.tif 000027
【図１８Ｂ】
0006588451.tif 000028
【図１８Ｃ】
0006588451.tif 000029
【図１９Ａ】
0006588451.tif 000030
【図１９Ｂ】
0006588451.tif 000031
【図１９Ｃ】
0006588451.tif 000032
【図１９Ｄ】
0006588451.tif 000033
【図２０Ａ】
0006588451.tif 000034
【図２０Ｂ】
0006588451.tif 000035
【図２１Ａ】
0006588451.tif 000036
【図２１Ｂ】
0006588451.tif 000037
【図２１Ｃ】
0006588451.tif 000038
【図２１Ｄ】
0006588451.tif 000039
【図２１Ｅ】
0006588451.tif 000040
【図２１Ｆ】
0006588451.tif 000041
【図２２Ａ】
0006588451.tif 000042
【図２２Ｂ】
0006588451.tif 000043
【図２２Ｃ】
0006588451.tif 000044
【図２２Ｄ】
0006588451.tif 000045
【図２２Ｅ】
0006588451.tif 000046
【図２３Ａ】
0006588451.tif 000047
【図２３Ｂ】
0006588451.tif 000048
【図２３Ｃ】
0006588451.tif 000049
【図２３Ｄ】
0006588451.tif 000050
【図２３Ｅ】
0006588451.tif 000051
【図２３Ｆ】
0006588451.tif 000052
【図２４Ａ】
0006588451.tif 000053
【図２４Ｂ】
0006588451.tif 000054
【図２４Ｃ】
0006588451.tif 000055
【図２４Ｄ】
0006588451.tif 000056
【図２４Ｅ】
0006588451.tif 000057
【図２４Ｆ】
0006588451.tif 000058